(57)【要約】      （修正有）【課題】マルチカラーの発光が可能であって、消費電力が低減された発光パネルを提供する。【解決手段】４００ｎｍ以上６００ｎｍ未満の波長を有する光と６００ｎｍ以上８００ｎｍ未満の波長を有する光とを含む光を発する、一対の電極に挟持された発光性の有機化合物を含む層１０３を、光学距離を６００ｎｍ以上８００ｎｍ未満とする一対の反射膜１１１ａと半透過・半反射膜１１２の間に設けて、明度が高く淡い色を呈する光を発する第１の発光素子１１０と、光学距離を６００ｎｍ以上８００ｎｍ未満とする一対の反射膜１１１ｂと半透過・半反射膜１１２の間に設け、更に赤色を呈する光を透過する層１１５を該半透過・半反射膜１１２に重ねて備える第２の発光素子１２０と、光学距離を４００ｎｍ以上６００ｎｍ未満とする一対の反射膜１１１ｃと半透過・半反射膜１１２の間に設けて、彩度が高く赤色とは異なる色を呈する光を発する第３の発光素子１３０を有する。【選択図】図１
2020024933.tif 000002
【特許請求の範囲】
【請求項１】
第１乃至第３の発光素子を有し、
前記第１乃至第３の発光素子からは、それぞれ異なる色の光が取り出され、
前記異なる色は、赤、緑、青であり、
前記第１乃至第３の発光素子の発光層は、共通であり、
前記第１乃至第３の発光素子の発光層は、それぞれ一対の電極に挟まれ、
前記第１乃至第３の発光素子において、それぞれ一対の電極の一方は共通であり、
前記第１乃至第３の発光素子において、それぞれ一対の電極の他方と反射膜の間に、それぞれ光学調整層を有し、
前記第１乃至第３の発光素子の光学調整層は、それぞれ膜厚が異なる発光装置。
【請求項２】
請求項１において、
前記第１乃至第３の発光素子から取り出される光は、それぞれ前記第１乃至第４発光素子の光学調整層を含むマイクロキャビティにより強調された光である発光装置。
【発明の詳細な説明】
【技術分野】
【０００１】
本発明は、発光パネル、それを用いた発光装置、および発光パネルの作製方法に関する。
【背景技術】
【０００２】
携帯電話、パーソナルコンピュータ、スマートフォン、電子ブックなどの普及が進み、生
活の中で表示装置を使用する時間が長くなっている。
【０００３】
表示装置を備えるこれらの電子機器が身辺に置かれるようになった結果、従来は文具が用
いられてきたような単純な用途にも、これらの電子機器が用いられるようになってきた。
具体的には、従来は手帳を用いて行っていたスケジュール管理、住所録、メモ等が、スマ
ートフォンに代表される多機能な電子機器を用いて行われるようになってきた。
【０００４】
また、一対の電極の間に膜状に広がる発光性の有機化合物を含む層（ＥＬ層ともいう）を
備える発光素子が知られている。このような発光素子は例えば有機ＥＬ素子と呼ばれ、一
対の電極の間に電圧を印加すると、発光性の有機化合物から発光が得られる。そして、有
機ＥＬ素子が適用された発光装置として、照明装置や、表示装置などが知られている。有
機ＥＬ素子を用いた表示装置の一例が、特許文献１に開示されている。
【先行技術文献】
【特許文献】
【０００５】
【特許文献１】特開２００２−３２４６７３号公報
【発明の概要】
【発明が解決しようとする課題】
【０００６】
携帯可能な情報端末には、頻繁に充電しなくても長時間使用でき、且つ軽量で可搬性に優
れた性能が望まれる。また、それに搭載される表示装置には消費電力が小さいこと、軽量
であることの他、長い時間使用しても目が疲労し難いこと、また、作製し易いことなどが
求められている。もちろん、精細な画像や、動画を美しく再現できる性能も求められるが
、例えば文具の代替え用途においては表現可能な色数を増やすことより、消費電力を低減
することが優先される場合がある。なお、このような技術課題は携帯可能な電子機器に用
いられる表示装置を含む発光装置に限られず、据え置き型の発光装置についても、省資源
、省エネルギー、高付加価値化の観点から同様の性能が望まれている。
【０００７】
本発明の一態様は、このような技術的背景のもとでなされたものである。具体的には、マ
ルチカラーの発光が可能であって、消費電力が低減された発光パネルを提供することを課
題の一とする。または、マルチカラーの発光が可能であって、消費電力が低減された発光
装置を提供することを課題の一とする。または、マルチカラーの表示が可能であって、消
費電力が低減された発光パネルの生産性に優れた作製方法を提供することを課題の一とす
る。
【課題を解決するための手段】
【０００８】
上記目的を達成するために、本発明は、一対の反射膜と半透過・半反射膜の間に、一対の
電極に挟持された多成分の光を発する発光性の有機化合物を含む層と、光学調整層と、を
それぞれ備える複数の発光素子を有する構成に着目した。そして、４００ｎｍ以上６００
ｎｍ未満の波長を有する光と６００ｎｍ以上８００ｎｍ未満の波長を有する光とを含む光
を発する、一対の電極に挟持された発光性の有機化合物を含む層を、光学距離を６００ｎ
ｍ以上８００ｎｍ未満のＮ／２倍（Ｎは自然数）とする一対の反射膜と半透過・半反射膜
の間に設けて、明度が高く淡い色を呈する光を発する第１の発光素子と、光学距離を６０
０ｎｍ以上８００ｎｍ未満のＮ／２倍（Ｎは自然数）とする一対の反射膜と半透過・半反
射膜の間に設け、更に赤色を呈する光を透過する層を該半透過・半反射膜に重ねて備える
第２の発光素子と、光学距離を４００ｎｍ以上６００ｎｍ未満のＮ／２倍（Ｎは自然数）
とする一対の反射膜と半透過・半反射膜の間に設けて、彩度が高く赤色とは異なる色を呈
する光を発する第３の発光素子を有する構成に想到し、上記課題の解決に至った。
【０００９】
すなわち、本発明の一態様は、一対の反射膜と半透過・半反射膜の間に、一対の電極に挟
持された発光性の有機化合物を含む層と、光学調整層と、がそれぞれ設けられた第１の発
光素子と、第２の発光素子と、第３の発光素子と、を有し、発光性の有機化合物を含む層
は、６００ｎｍ以上８００ｎｍ未満の波長を有する光と、４００ｎｍ以上６００ｎｍ未満
の波長を有する光と、を含む光を発し、第１の発光素子と第２の発光素子は、一対の反射
膜と半透過・半反射膜の間の光学距離が６００ｎｍ以上８００ｎｍ未満のＮ／２倍（Ｎは
自然数）であって且つ等しく、第２の発光素子は、赤色を呈する光を透過する層が半透過
・半反射膜に重ねて設けられ、第３の発光素子は、一対の反射膜と半透過・半反射膜の間
の光学距離が４００ｎｍ以上６００ｎｍ未満のＮ／２倍（Ｎは自然数）である発光パネル
である。
【００１０】
上記本発明の一態様の発光パネルは、一対の反射膜と半透過・半反射膜の間で強調された
６００ｎｍ以上８００ｎｍ未満の波長を有する光と、４００ｎｍ以上６００ｎｍ未満の波
長を有する光とを含む混合光を発する第１の発光素子と、該混合光から赤色を呈する光を
透過する層を介して取り出される赤色光を発する第２の発光素子と、一対の反射膜と半透
過・半反射膜の間で強調された４００ｎｍ以上６００ｎｍ未満の波長を有する光を発する
第３の発光素子と、を備える。
【００１１】
これにより、第１の発光素子は長時間使用しても目が疲労し難い明度が高く淡い色を呈す
る光を、第２の発光素子は鮮やかな赤色を呈する光を、第３の発光素子は第１の発光素子
が発する光の色及び第２の発光素子が発する光の色のいずれの色とも異なる鮮やかな色を
呈する光を発する発光パネルを構成できる。また、第２の発光素子を除いて特定の色を呈
する光を透過する層（例えばカラーフィルタ）が設けられていないため、発光性の有機化
合物を含む層が発する光を効率よく利用できる。その結果、マルチカラーの発光が可能で
あって、消費電力が低減された発光パネルを提供できる。
【００１２】
また、本発明の一態様は、一対の反射膜と半透過・半反射膜の間に、一対の電極に挟持さ
れた発光性の有機化合物を含む層と、光学調整層と、がそれぞれ設けられた第１の発光素
子と、第２の発光素子と、第３の発光素子と、第４の発光素子を有し、発光性の有機化合
物を含む層は、６００ｎｍ以上８００ｎｍ未満の波長を有する光と、５００ｎｍ以上６０
０ｎｍ未満の波長を有する光と、４００ｎｍ以上５００ｎｍ未満の波長を有する光と、を
含む光を発し、第１の発光素子と第２の発光素子は、一対の反射膜と半透過・半反射膜の
間の光学距離が６００ｎｍ以上８００ｎｍ未満のＮ／２倍（Ｎは自然数）であって且つ等
しく、第２の発光素子は、赤色を呈する光を透過する層が半透過・半反射膜に重ねて設け
られ、第３の発光素子は、一対の反射膜と半透過・半反射膜の間の光学距離が５００ｎｍ
以上６００ｎｍ未満のＮ／２倍（Ｎは自然数）であり、第４の発光素子は、一対の反射膜
と半透過・半反射膜の間の光学距離が４００ｎｍ以上５００ｎｍ未満のＮ／２倍（Ｎは自
然数）である発光パネルである。
【００１３】
上記本発明の一態様の発光パネルは、一対の反射膜と半透過・半反射膜の間で強調された
６００ｎｍ以上８００ｎｍ未満の波長を有する光と、強調された４００ｎｍ以上６００ｎ
ｍ未満の波長を有する光とを含む混合光を発する第１の発光素子と、該混合光から赤色を
呈する光を透過する層を介して取り出される赤色光を発する第２の発光素子と、一対の反
射膜と半透過・半反射膜の間で強調された５００ｎｍ以上６００ｎｍ未満の波長を有する
光を発する第３の発光素子と、一対の反射膜と半透過・半反射膜の間で強調された４００
ｎｍ以上５００ｎｍ未満の波長を有する光を発する第４の発光素子と、を備える。
【００１４】
これにより、第１の発光素子は長時間使用しても目が疲労し難い明度が高く淡い色を呈す
る光を、第２の発光素子は鮮やかな赤色を呈する光を、第３の発光素子は緑色を呈する光
を、第４の発光素子は青色を呈する光を発する発光パネルを構成できる。また、第２の発
光素子を除いて特定の色を呈する光を透過する層（例えばカラーフィルタ）が設けられて
いないため、発光性の有機化合物を含む層が発する光を効率よく利用できる。その結果、
鮮やかなフルカラーの発光が可能であって、消費電力が低減された発光パネルを提供でき
る。
【００１５】
また、本発明の一態様は、波長４００ｎｍ以上８００ｎｍ未満の範囲において、反射膜は
、反射率が１％以上、好ましくは３０％以上１００％未満であり、半透過・半反射膜は、
反射率が１％以上、好ましくは５％以上１００％未満であって、且つ透過率が１％以上、
好ましくは３０％以上１００％未満である上記の発光パネルである。
【００１６】
これにより、一対の反射膜と半透過・半反射膜が微小共振器（マイクロキャビティともい
う）を構成する。特に、該反射膜と該半透過・半反射膜に由来する光学距離が４００ｎｍ
以上６００ｎｍ未満のＮ／２倍（Ｎは自然数）の発光素子は、半値幅が狭く且つ赤色を呈
する光より波長が短い鮮やかな色を呈する光を発する。その結果、マルチカラーの発光が
可能であって、消費電力が低減された発光パネルを提供できる。
【００１７】
また、本発明の一態様は、光学調整層が導電性を備え、且つ一対の電極の一方を兼ねる上
記の発光パネルである。
【００１８】
光学調整層が電極の一方を兼ねることにより、構成が単純化され、作製が容易である。
【００１９】
また、本発明の一態様は、半透過・半反射膜が導電性を備え、且つ一対の電極の他方を兼
ねる上記の発光パネルである。
【００２０】
半透過・半反射膜が電極の他方を兼ねることにより、構成が単純化され、作製が容易であ
る。
【００２１】
また、本発明の一態様は、反射膜が導電性を備え、一対の電極の一方と電気的に接続され
ている上記の発光パネルである。
【００２２】
これにより、導電性を備える反射膜を介して一対の電極の一方に電力を供給できる。その
結果、電極の一方の電気抵抗（例えば、シート抵抗）に起因する駆動電圧の上昇を抑制で
きる。よって、マルチカラーの発光が可能であって、消費電力が低減された発光パネルを
提供できる。また、単純化された構成であるため、作製が容易である。
【００２３】
また、本発明の一態様は、第１の発光素子と、第２の発光素子と、第３の発光素子が、い
ずれも同一の工程で形成された発光性の有機化合物を含む層を備える上記の発光パネルで
ある。
【００２４】
これにより、第１の発光素子と、第２の発光素子と、第３の発光素子の発光性の有機化合
物を含む層を同一の工程で作製できる。その結果、マルチカラーの発光が可能であって、
消費電力が低減された発光パネルを提供できる。また、単純化された構成であるため、作
製が容易である。
【００２５】
また、本発明の一態様は、上記の発光パネルを用いた発光装置である。
【００２６】
これにより、上記の発光パネルを表示部として備える発光装置を構成できる。その結果、
マルチカラーの表示が可能であって、消費電力が低減された発光装置を提供できる。
【００２７】
また、本発明の一態様は、第１の発光素子乃至第４の発光素子に、導電性の反射膜を形成
するステップと、第１の発光素子及び第２の発光素子に導電性の光学調整層を形成するス
テップと、第３の発光素子に第１の発光素子及び第２の発光素子に設けられた光学調整層
より薄い光学調整層を形成するステップと、第４の発光素子に第３の発光素子に設けられ
た光学調整層より薄い光学調整層を形成するステップと、第１の発光素子の光学調整層と
、第２の発光素子の光学調整層と、第３の発光素子の光学調整層と、第４の発光素子の反
射膜に接して、６００ｎｍ以上８００ｎｍ未満の波長を有する光と、５００ｎｍ以上６０
０ｎｍ未満の波長を有する光と、４００ｎｍ以上５００ｎｍ未満の波長を有する光と、を
含む光を発する発光性の有機化合物を含む層を一度に形成するステップと、発光性の有機
化合物を含む層に接して、第１の発光素子の光学調整層と、第２の発光素子の光学調整層
と、第３の発光素子の光学調整層と、第４の発光素子の反射膜に重なる導電性の半透過・
半反射膜を形成するステップと、第２の発光素子の半透過・半反射膜に重ねて、赤色を呈
する光を透過する層を設けるステップと、を有する発光パネルの作製方法である。
【００２８】
上記本発明の一態様の発光パネルの作製方法によれば、厚みが異なる二種類の光学調整層
と、赤色のカラーフィルタを形成する工程により、発光色が異なる４種類の発光素子（具
体的には、赤、緑、青、明度が高い淡い色を呈する発光素子）を備える発光パネルを作製
できる。その結果、フルカラーが可能な発光パネルの簡便な作製方法を提供できる。
【００２９】
なお、本明細書において、明度が高く淡い色を呈する光とは、輝度が高く色純度が低い光
をいう。例えば、色度図上に赤、緑、青を三原色として配した場合、赤、緑、青を頂点と
する三角形の内側に示される色は当該三原色に比べ色純度が低いといえる。また、白色の
光はその三角形の中央付近に配することができ、色純度が低い光は淡い色彩を有するとも
いえる。
【００３０】
また、本明細書において、光学距離とは距離と屈折率の積をいう。したがって、屈折率が
１より大きい媒体においては、光学距離は実際の距離よりも長くなる。なお、微小共振器
（マイクロキャビティともいう）の共振器内部の光学距離は、光学干渉を測定することに
より測定できる。具体的には分光光度計を用いて、入射光に対する反射光の強度比を測定
し、波長に対してプロットすることで共振器内部の光学距離を求めることができる。
【００３１】
また、本明細書において、ＥＬ層とは発光素子の一対の電極間に設けられた層を示すもの
とする。従って、電極間に挟まれた発光物質である有機化合物を含む発光層はＥＬ層の一
態様である。
【００３２】
また、本明細書において、物質Ａを他の物質Ｂからなるマトリクス中に分散する場合、マ
トリクスを構成する物質Ｂをホスト材料と呼び、マトリクス中に分散される物質Ａをゲス
ト材料と呼ぶものとする。なお、物質Ａ並びに物質Ｂは、それぞれ単一の物質であっても
良いし、２種類以上の物質の混合物であっても良いものとする。
【００３３】
なお、本明細書中において、発光装置とは画像表示デバイス、発光デバイス、もしくは光
源（照明装置含む）を指す。また、発光装置にコネクター、例えばＦＰＣ（Ｆｌｅｘｉｂ
ｌｅ  ｐｒｉｎｔｅｄ  ｃｉｒｃｕｉｔ）もしくはＴＡＢ（Ｔａｐｅ  Ａｕｔｏｍａｔｅ
ｄ  Ｂｏｎｄｉｎｇ）テープもしくはＴＣＰ（Ｔａｐｅ  Ｃａｒｒｉｅｒ  Ｐａｃｋａｇ
ｅ）が取り付けられたモジュール、ＴＡＢテープやＴＣＰの先にプリント配線板が設けら
れたモジュール、または発光素子が形成された基板にＣＯＧ（Ｃｈｉｐ  Ｏｎ  Ｇｌａｓ
ｓ）方式によりＩＣ（集積回路）が直接実装されたモジュールも全て発光装置に含むもの
とする。
【発明の効果】
【００３４】
本発明の一態様によれば、マルチカラーの発光が可能であって、消費電力が低減された発
光パネルを提供できる。または、マルチカラーの発光が可能であって、消費電力が低減さ
れた発光装置を提供できる。または、マルチカラーの発光が可能であって、消費電力が低
減されたな発光パネルの生産性に優れた作製方法を提供できる。
【図面の簡単な説明】
【００３５】
【図１】実施の形態に係る発光パネルの構成を説明する図。
【図２】実施の形態に係る発光パネルの構成を説明する図。
【図３】実施の形態に係る発光パネルの作製方法を説明する図。
【図４】実施の形態に係る発光パネルの作製方法を説明する図。
【図５】実施の形態に係る一対の電極に挟持された発光性の有機化合物を含む層を説明する図。
【図６】実施の形態に係る一対の電極に挟持された発光性の有機化合物を含む層を説明する図。
【図７】実施の形態に係る発光パネルが適用された発光装置を説明する図。
【図８】実施の形態に係る発光パネルが適用された発光装置を説明する図。
【図９】実施の形態に係る発光パネルが適用された電子機器を説明する図。
【図１０】実施の形態に係る発光パネルが適用された電子機器を説明する図。
【図１１】実施例に係る発光素子の構成を説明する図。
【図１２】実施例に係る発光素子が発する光の発光スペクトルを説明する図。
【図１３】実施例に係る発光素子が発する光の色度を説明する図。
【図１４】実施例に係る発光素子の輝度−電流効率特性を説明する図。
【発明を実施するための形態】
【００３６】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００３７】
（実施の形態１）
本実施の形態では、４００ｎｍ以上６００ｎｍ未満の波長を有する光と６００ｎｍ以上８
００ｎｍ未満の波長を有する光とを含む光を発する、一対の電極に挟持された発光性の有
機化合物を含む層を、光学距離を６００ｎｍ以上８００ｎｍ未満のＮ／２倍（Ｎは自然数
）とする一対の反射膜と半透過・半反射膜の間に設けて、明度が高く淡い色を呈する第１
の発光素子と、光学距離を６００ｎｍ以上８００ｎｍ未満のＮ／２倍（Ｎは自然数）とす
る一対の反射膜と半透過・半反射膜の間に設けて更に赤色を呈する光を透過する層を該半
透過・半反射膜に重ねて備える第２の発光素子と、光学距離を４００ｎｍ以上６００ｎｍ
未満のＮ／２倍（Ｎは自然数）とする一対の反射膜と半透過・半反射膜の間に設けて、彩
度が高く赤色とは異なる色を呈する第３の発光素子を有する構成を備える発光パネルにつ
いて図１を参照して説明する。
【００３８】
具体的には、一対の反射膜と半透過・半反射膜の間に、一対の電極に挟持された発光性の
有機化合物を含む層と、光学調整層と、がそれぞれ設けられた第１の発光素子と、第２の
発光素子と、第３の発光素子と、を有し、該発光性の有機化合物を含む層は、６００ｎｍ
以上８００ｎｍ未満の波長を有する光と、４００ｎｍ以上６００ｎｍ未満の波長を有する
光と、を含む光を発し、第１の発光素子と第２の発光素子は、一対の反射膜と半透過・半
反射膜の間の光学距離が等しく、且つ６００ｎｍ以上８００ｎｍ未満のＮ／２倍（Ｎは自
然数）であって、第２の発光素子は、赤色を呈する光を透過する層が半透過・半反射膜に
重ねて設けられ、第３の発光素子は、一対の反射膜と半透過・半反射膜の間の光学距離が
４００ｎｍ以上６００ｎｍ未満のＮ／２倍（Ｎは自然数）である発光パネルについて説明
する。なお、光学距離が６００ｎｍ以上８００ｎｍ未満のＮ／２倍（Ｎは自然数）である
とは、具体的には光学距離が３００ｎｍ以上４００ｎｍ未満である場合（すなわちＮが１
の場合）、６００ｎｍ以上８００ｎｍ未満である場合（すなわちＮが２の場合）、９００
ｎｍ以上１２００ｎｍ未満である場合（すなわちＮが３の場合）などを含んで意味する。
【００３９】
本発明の一態様の発光パネルの構成を図１（Ａ）に示す。図１（Ａ）に例示する発光パネ
ルは、第１の発光素子１１０、第２の発光素子１２０及び第３の発光素子１３０を有する
。第１の発光素子１１０は、反射膜１１１ａ、半透過・半反射膜１１２及びその間に光学
調整層１１３ａと一対の電極（第１の電極１０１ａと第２の電極１０２）に挟持された発
光性の有機化合物を含む層１０３を備える。また、第２の発光素子１２０は、反射膜１１
１ｂ、半透過・半反射膜１１２及びその間に光学調整層１１３ｂと一対の電極（第１の電
極１０１ｂと第２の電極１０２）に挟持された発光性の有機化合物を含む層１０３を備え
る。また、第３の発光素子１３０は、反射膜１１１ｃ、半透過・半反射膜１１２及びその
間に光学調整層１１３ｃと一対の電極（第１の電極１０１ｃと第２の電極１０２）に挟持
された発光性の有機化合物を含む層１０３を備える。
【００４０】
また、第２の発光素子は、半透過・半反射膜１１２側に赤色を呈する光を透過する層１１
５を反射膜１１１ｂに重ねて備える。
【００４１】
＜１．一対の反射膜と半透過・半反射膜の構成＞
反射膜（１１１ａ、１１１ｂ及び１１１ｃ）は、波長が４００ｎｍ以上８００ｎｍ未満の
範囲の光を反射する。特に、反射率が１％以上好ましくは３０％以上１００％未満である
と、発光性の有機化合物を含む層１０３が発する光を効率よく反射できるため好ましい。
【００４２】
反射膜（１１１ａ、１１１ｂ及び１１１ｃ）に用いることができる材料としては、アルミ
ニウム、銀、金、白金、銅、アルミニウムを含む合金（例えば、アルミニウム−チタン合
金、アルミニウム−ネオジム合金）、または銀を含む合金（銀−ネオジム合金）、銀を含
む合金（マグネシウム−銀）等を挙げることができる。
【００４３】
半透過・半反射膜１１２は、波長が４００ｎｍ以上８００ｎｍ未満の範囲の光を一部反射
し、一部を透過する。その結果、半透過・半反射膜から発光性の有機化合物を含む層１０
３が発する光を取り出すことができる。特に、反射率が１％以上好ましくは５％以上１０
０％未満であって、且つ透過率が１％以上好ましくは１０％以上１００％未満であると、
対をなす反射膜との間で微小共振器が構成される。図１（Ａ）に例示する発光パネル１５
０の第１の発光素子１１０の光学距離は、反射膜１１１ａと半透過・半反射膜１１２の間
（矢印１５１で示す）に由来するものであり、第３の発光素子１３０の光学距離は、反射
膜１１１ｃと半透過・半反射膜１１２の間（矢印１５３で示す）に由来するものである。
本実施の形態の第１の発光素子と第２の発光素子においては、一対の反射膜と半透過・半
反射膜が形成する微小共振器の光学距離は、６００ｎｍ以上８００ｎｍ未満のＮ／２倍（
Ｎは自然数）に調整され、第３の発光素子においては、４００ｎｍ以上６００ｎｍ未満の
Ｎ／２倍（Ｎは自然数）に調整されている。
【００４４】
これにより、第１の発光素子は微小共振器により強調された６００ｎｍ以上８００ｎｍ未
満の波長を有する光と、４００ｎｍ以上６００ｎｍ未満の波長を有する光とを含む混合光
を発する。該混合光は、赤色を呈する光の成分に他の色を呈する光（例えば、青色など）
の成分が混合しているため、彩度が低く、色度図上では白色に近い領域に配することがで
き、淡い色を呈する光であるといえる。また、第２の発光素子は該混合光から赤色を呈す
る光が取り出される。また、光学距離が４００ｎｍ以上６００ｎｍ未満のＮ／２倍（Ｎは
自然数）に調整された第３の発光素子は、微小共振器により強調された半値幅が狭い鮮や
かな色を呈する光（例えば、青色や緑色など）を発する。
【００４５】
半透過・半反射膜１１２には、波長が４００ｎｍ以上８００ｎｍ未満の範囲の光を一部反
射し、一部を透過する程度の厚さの金属膜を用いることができる。例えば、反射膜（１１
１ａ、１１１ｂ及び１１１ｃ）と同様の材料を用いて、厚さ０．１ｎｍ以上１００ｎｍ未
満とすればよい。
【００４６】
＜２．光学調整層の構成＞
光学調整層は、波長が４００ｎｍ以上８００ｎｍ未満の範囲の光を透過する。特に、透過
率が１％以上好ましくは３０％以上１００％未満であると、発光性の有機化合物を含む層
１０３が発する光のエネルギーが損なわれ難いため好ましい
【００４７】
光学調整層（１１３ａ、１１３ｂ及び１１３ｃ）に用いることができる材料としては、イ
ンジウム錫酸化物（ＩＴＯ）、酸化珪素、フッ化リチウム、フッ化マグネシウム、酸化チ
タン、酸化窒化珪素、酸化ジルコニウム、炭化チタン等を挙げることができる。
【００４８】
光学調整層は、反射膜と半透過・半反射膜の間の光学距離を調整する層である。図１（Ａ
）に例示する発光パネルにおいて、第１の発光素子１１０が備える光学調整層１１３ａ、
第２の発光素子１２０が備える光学調整層１１３ｂ、第３の発光素子１３０が備える光学
調整層１１３ｃは、反射膜と半透過・半反射膜の間の光学距離を調整する。
【００４９】
具体的には、光学調整層１１３ａと光学調整層１１３ｂは、一対の電極に挟持された発光
性の有機化合物を含む層１０３と合わせて、いずれも光学距離が６００ｎｍ以上８００ｎ
ｍ未満のＮ／２倍（Ｎは自然数）になるように調整する。また、第３の発光素子１３０が
備える光学調整層１１３ｃは、一対の電極に挟持された発光性の有機化合物を含む層１０
３と合わせて、光学距離が４００ｎｍ以上６００ｎｍ未満のＮ／２倍（Ｎは自然数）にな
るように調整する。
【００５０】
なお、図１（Ａ）には、発光性の有機化合物を含む層１０３を挟持する一対の電極の一方
に接して、反射膜（１１１ａ、１１１ｂまたは１１１ｃ）との間に光学調整層が設けられ
ている構成を図示するが、本発明の一態様はこの構成に限られない。例えば、該一対の電
極の他方に接して、半透過・半反射膜との間に光学調整層を設ける構成としてもよい。ま
た、光学調整層を二層に分けて、その一を該一対の電極の一方と反射膜（１１１ａ、１１
１ｂまたは１１１ｃ）の間に、またその他を該一対の電極の他方と半透過・半反射膜１１
２との間に設ける構成としてもよい。
【００５１】
光学調整層を設ける位置は、本発明の一態様の発光パネルの作製のし易さに応じて適宜決
定すればよい。
【００５２】
例えば、発光性の有機化合物を含む層１０３に水分などの不純物が拡散する現象を防ぎた
い場合は、発光性の有機化合物を含む層１０３を形成した後にフォトリソグラフィ法を適
用できない。したがって、微細で且つ厚さが異なる光学調整層を、フォトリソグラフィ法
を用いて形成する場合は、発光性の有機化合物を含む層を形成する前に該光学調整層を形
成する構成が好ましい。
【００５３】
例えば、基板側に反射膜を設ける構成においては、発光性の有機化合物を含む層を挟持す
る一対の電極の一方と反射膜の間に、光学調整層を設ける構成が好ましく、基板側に半透
過・半反射膜を設ける構成においては、発光性の有機化合物を含む層を挟持する一対の電
極の他方と半透過・半反射膜の間に、光学調整層を設ける構成が好ましい。
【００５４】
フォトリソグラフィ法を用いると、厚みが異なる光学調整層を微細なパターンで配置でき
る。その結果、高精細な発光素子を備えてマルチカラーの発光が可能な発光パネルを提供
できる。
【００５５】
なお、発光パネルに設ける光学調整層のうち、最も薄いものは、厚さを厚く調整した発光
性の有機化合物を含む層が兼ねることができる。具体的には、発光パネル１５０において
、発光性の有機化合物を含む層１０３の厚さを厚く調整することにより、発光性の有機化
合物を含む層１０３は第３の発光素子１３０の光学調整層１１３ｃを兼ねることができる
。その結果、一対の電極の一方を反射膜１１１ｃに接して設けることができる。
【００５６】
また、発光性の有機化合物を含む層１０３の厚さを厚く調整することにより、発光性の有
機化合物を含む層１０３は第３の発光素子１３０の光学調整層１１３ｃを兼ね、更に反射
膜１１１ｃが一対の電極の一方を兼ねることができる。
【００５７】
発光性の有機化合物を含む層が最も薄い光学調整層を兼ねる発光パネルは、厚さが異なる
光学調整層の数が減るため、作製が容易である。
【００５８】
また、シャドーマスク法（メタルマスク法ともいう）を用いた蒸着法やスパッタリング法
により、厚さが異なる光学調整層を形成する場合は、該光学調整層を形成する工程は発光
性の有機化合物を含む層を形成する前であってもよく、後であってもよく、発光性の有機
化合物を含む層の内部に光学調整層を設ける構成とすることもできる。
【００５９】
シャドーマスク法を用いた形成方法によれば、水分などの不純物が発光性の有機化合物を
含む層に拡散する現象が生じにくいため、光学調整層をさまざまな位置に設けることが可
能になり、作製工程の自由度が高まり好ましい。
【００６０】
＜３．一対の電極およびそれに挟持された発光性の有機化合物を含む層の構成＞
一対の電極およびそれに挟持された発光性の有機化合物を含む層は、有機ＥＬ素子を構成
する。本発明の一態様には、様々な構成の有機ＥＬ素子が適用でき、その詳細は実施の形
態４において説明する。
【００６１】
＜４．赤色を呈する光を透過する層の構成＞
赤色を呈する光を透過する層１１５を、第２の発光素子１２０の半透過・半反射膜に重な
る位置に設ける。赤色を呈する光を透過する層１１５としては、赤色のカラーフィルタを
用いることができる。赤色を呈する光を透過する層１１５としては、例えば、顔料が分散
された有機樹脂層を用いればよい。
【００６２】
第２の発光素子１２０において、一対の反射膜１１１ｂと半透過・半反射膜１１２が形成
する微小共振器の光学距離は、６００ｎｍ以上８００ｎｍ未満のＮ／２倍（Ｎは自然数）
に調整されている。これにより、微小共振器により強調された６００ｎｍ以上８００ｎｍ
未満の波長を有する光と、４００ｎｍ以上６００ｎｍ未満の波長を有する光とを含む混合
光が半透過・半反射膜を透過する。半透過・半反射膜に重なる位置に設けられた赤色を呈
する光を透過する層１１５は、該混合光から、赤色を呈する光を取り出す。
【００６３】
＜５．変形例＞
ここでは、光学調整層が一対の電極の一方を兼ねる場合について、図１（Ｂ）を用いて説
明する。第１の発光素子２１０は、反射膜２１１ａと半透過・半反射膜２１２ａの間に光
学調整層２１３ａと発光性の有機化合物を含む層２０３を備える。なお、図１（Ｂ）に例
示する第１の発光素子２１０の光学距離は、反射膜２１１ａと半透過・半反射膜２１２ａ
の間（矢印２５１で示す）に由来するものである。
【００６４】
４００ｎｍ以上８００ｎｍ未満の範囲の波長を有する光を透過し、且つ導電性を備える光
学調整層は一対の電極の一方または他方として用いることができる。図１（Ｂ）に示す第
１の発光素子２１０において、光学調整層２１３ａは一対の電極の一方を兼ねている。そ
の結果、単純化された構成を備えるマルチカラーの発光が可能な発光パネルを提供できる
。
【００６５】
一対の電極の一方または他方を兼ねることができる光学調整層に用いることができる材料
としては、例えば酸化インジウム、インジウム錫酸化物（ＩＴＯ）、インジウム亜鉛酸化
物、酸化亜鉛、ガリウムを添加した酸化亜鉛（ＧＺＯ）、アルミニウムを添加した酸化亜
鉛（ＡＺＯ）等を含む導電膜などから選択される材料を用いることができる。また、上記
の材料の他、グラフェン、導電性材料のナノウイスカーなどを成膜して用いることもでき
る。
【００６６】
また、反射膜に導電性を備える材料を用い、該反射膜と一対の電極の一方を電気的に接続
する構成とすることで、一対の電極の一方の電気抵抗（例えばシート抵抗）に起因する発
光パネルの駆動電圧の上昇を抑制できる。よって、消費電力が低減されたマルチカラーの
表示が可能な発光パネルを提供できる。
【００６７】
図１（Ｂ）に示す第１の発光素子２１０において、導電性の反射膜２１１ａ上に導電性を
有する光学調整層２１３ａが積層されている。このような構成の一例として、アルミニウ
ム膜上にチタン膜を積層した反射膜２１１ａ上に、さらに光学調整層２１３ａとしてイン
ジウム錫酸化物（ＩＴＯ）を積層した構成を挙げることができる。
【００６８】
この構成によれば、構成が単純になり且つ透明導電膜の電気抵抗が比較的高いものであっ
ても駆動電圧の上昇を抑制できる。
【００６９】
また、半透過・半反射膜に導電性を備え、且つ波長が４００ｎｍ以上８００ｎｍ未満の範
囲の光を一部反射し、一部を透過する材料を用いる構成とすることで、半透過・半反射膜
を一対の電極の他方として用いることができる。その結果、単純化された構成を備えるマ
ルチカラーの発光が可能な発光パネルを提供できる。
【００７０】
図１（Ｂ）に示す第１の発光素子２１０において、導電性の半透過・半反射膜２１２ａは
一対の電極の他方を兼ねている。その結果、単純化された構成を備えるマルチカラーの発
光が可能な発光パネルを提供できる。
【００７１】
一対の電極の他方を兼ねることができる半透過・半反射膜に用いることができる材料とし
ては、例えば、反射膜と同様の材料を用いて、厚さ０．１ｎｍ以上１００ｎｍ未満とすれ
ばよい。また、発光性の有機化合物を含む層にキャリアを注入できる金属を用いることも
できる。例えば、銀、銀マグネシウム（Ｍｇ−Ａｇ）合金、などは、均質な薄膜を形成し
易いだけでなく、キャリアの注入に好適な仕事関数を有するため、好ましい。
【００７２】
上記本発明の一態様の発光パネルは、一対の反射膜と半透過・半反射膜の間で強調された
６００ｎｍ以上８００ｎｍ未満の波長を有する光と、４００ｎｍ以上６００ｎｍ未満の波
長を有する光とを含む混合光を発する第１の発光素子と、該混合光から赤色を呈する光を
透過する層を介して取り出される赤色光を発する第２の発光素子と、一対の反射膜と半透
過・半反射膜の間で強調された４００ｎｍ以上６００ｎｍ未満の波長を有する光を発する
第３の発光素子と、を備える。
【００７３】
これにより、第１の発光素子は長時間使用しても目が疲労し難い明度が高く淡い色を呈す
る光を、第２の発光素子は鮮やかな赤色を呈する光を、第３の発光素子は第１の発光素子
が発する光の色及び第２の発光素子が発する赤色のいずれの色とも異なる鮮やかな色を呈
する光を発する発光パネルを構成できる。また、第２の発光素子の他には特定の色を呈す
る光を透過する層が設けられていないため、発光性の有機化合物を含む層が発する光を効
率よく利用できる。その結果、マルチカラーの発光が可能であって、消費電力が低減され
た発光パネルを提供できる。
【００７４】
なお、本実施の形態は、本明細書で示す他の実施の形態と適宜組み合わせることができる
。
【００７５】
（実施の形態２）
本実施の形態では、４００ｎｍ以上５００ｎｍ未満の波長を有する光と、５００ｎｍ以上
６００ｎｍ未満の波長を有する光と、６００ｎｍ以上８００ｎｍ未満の波長を有する光と
を含む光を発する、一対の電極に挟持された発光性の有機化合物を含む層を、光学距離を
６００ｎｍ以上８００ｎｍ未満のＮ／２倍（Ｎは自然数）とする一対の反射膜と半透過・
半反射膜の間に設けて、明度が高く淡い色を呈する第１の発光素子と、光学距離を６００
ｎｍ以上８００ｎｍ未満のＮ／２倍（Ｎは自然数）とする一対の反射膜と半透過・半反射
膜の間に設け、更に赤色を呈する光を透過する層を該半透過・半反射膜に重ねて備える第
２の発光素子と、光学距離を５００ｎｍ以上６００ｎｍ未満のＮ／２倍（Ｎは自然数）と
する一対の反射膜と半透過・半反射膜の間に設けて、彩度が高い緑色を呈する第３の発光
素子と、光学距離を４００ｎｍ以上５００ｎｍ未満のＮ／２倍（Ｎは自然数）とする一対
の反射膜と半透過・半反射膜の間に設けて、彩度が高く青色を呈する第４の発光素子を有
する構成を備える発光パネルについて図２を参照して説明する。
【００７６】
具体的には、一対の反射膜と半透過・半反射膜の間に、一対の電極に挟持された発光性の
有機化合物を含む層と、光学調整層と、がそれぞれ設けられた第１の発光素子と、第２の
発光素子と、第３の発光素子と、第４の発光素子を有し、発光性の有機化合物を含む層は
、６００ｎｍ以上８００ｎｍ未満の波長を有する光と、５００ｎｍ以上６００ｎｍ未満の
波長を有する光と、４００ｎｍ以上５００ｎｍ未満の波長を有する光と、を含む光を発し
、第１の発光素子と第２の発光素子は、一対の反射膜と半透過・半反射膜の間の光学距離
が６００ｎｍ以上８００ｎｍ未満のＮ／２倍（Ｎは自然数）であって且つ等しく、第２の
発光素子は、赤色を呈する光を透過する層が半透過・半反射膜に重ねて設けられ、第３の
発光素子は、一対の反射膜と半透過・半反射膜の間の光学距離が５００ｎｍ以上６００ｎ
ｍ未満のＮ／２倍（Ｎは自然数）であり、第４の発光素子は、一対の反射膜と半透過・半
反射膜の間の光学距離が４００ｎｍ以上５００ｎｍ未満のＮ／２倍（Ｎは自然数）である
発光パネルについて説明する。
【００７７】
本発明の一態様の発光パネルの構成を図２に示す。図２に例示する発光パネルは、第１の
発光素子３１０、第２の発光素子３２０、第３の発光素子３３０及び第４の発光素子３４
０を有する。
【００７８】
第１の発光素子３１０は、反射膜３１１ａと半透過・半反射膜３１２の間に光学調整層３
１３ａを有する。光学調整層３１３ａは一対の電極の一方を、半透過・半反射膜３１２は
一対の電極の他方を兼ねる。また、光学調整層３１３ａと半透過・半反射膜３１２の間に
発光性の有機化合物を含む層３０３を備える。
【００７９】
第２の発光素子３２０は、反射膜３１１ｂと半透過・半反射膜３１２の間に光学調整層３
１３ｂを有する。光学調整層３１３ｂは一対の電極の一方を、半透過・半反射膜３１２は
一対の電極の他方を兼ねる。また、光学調整層３１３ｂと半透過・半反射膜３１２の間に
発光性の有機化合物を含む層３０３を備える。
【００８０】
第３の発光素子３３０は、反射膜３１１ｃと半透過・半反射膜３１２の間に光学調整層３
１３ｃを有する。光学調整層３１３ｃは一対の電極の一方を、半透過・半反射膜３１２は
一対の電極の他方を兼ねる。また、光学調整層３１３ｃと半透過・半反射膜３１２の間に
発光性の有機化合物を含む層３０３を備える。
【００８１】
第４の発光素子３４０は、反射膜３１１ｄと半透過・半反射膜３１２の間に発光性の有機
化合物を含む層３０３を有する。発光性の有機化合物を含む層３０３は光学調整層を兼ね
、反射膜３１１ｄは一対の電極の一方を、半透過・半反射膜３１２は一対の電極の他方を
兼ねる。
【００８２】
また、第２の発光素子３２０は、半透過・半反射膜３１２側に赤色を呈する光を透過する
層３１５を備える。
【００８３】
なお、図２に例示する発光パネル３５０の第１の発光素子３１０の光学距離は、反射膜３
１１ａと半透過・半反射膜３１２の間（矢印３５１で示す）に由来するものであり、第４
の発光素子３４０の光学距離は、反射膜３１１ｄと半透過・半反射膜３１２の間（矢印３
５４で示す）に由来するものである。
【００８４】
なお、６００ｎｍ以上８００ｎｍ未満の波長を有する光と、５００ｎｍ以上６００ｎｍ未
満の波長を有する光と、４００ｎｍ以上５００ｎｍ未満の波長を有する光と、を含む光を
発する発光性の有機化合物を含む層の構成としては、所謂タンデム構造が好ましい。
【００８５】
ここで、タンデム構造とは、少なくとも２つの発光性の有機化合物を含む層と中間層を有
し、発光性の有機化合物を含む層が中間層を挟む構成をいう。
【００８６】
また、中間層は少なくとも電荷発生領域を含んで形成されていればよく、電荷発生領域以
外の層と積層された構成であってもよい。例えば、第１の電荷発生領域、電子リレー層及
び電子注入バッファーが陰極側から順次積層された構成も、中間層の一態様である。
【００８７】
本実施の形態の発光性の有機化合物を含む層の構成としては、タンデム構造が好ましい理
由を以下に説明する。発光性の有機化合物を含む層から多様な波長の光を含む発光を得る
には、複数の種類の発光性の有機化合物を用いる必要がある。しかし、互いに近接した状
態で複数の種類の発光性の有機化合物を用いると、相互作用によりそれぞれを均等に発光
させることが困難になってしまう。
【００８８】
そこで、発光性の有機化合物を含む層において、複数の種類の発光性の有機化合物を互い
に離して分散する必要がある。例えば、発光に寄与する層（発光層という）を厚くし、複
数の種類の発光性の有機化合物を分散する方法がある。しかし、発光層を単に厚くすると
駆動電圧が非常に高くなり電力に対する発光効率が低下してしまうという問題を生じる。
【００８９】
一方、タンデム構造を用いると、駆動電圧の上昇は穏やかであり、素子に流れる電流は一
定に保たれるため発光効率の低下が抑制される。また、タンデム構造を用いると、発光層
以外の層の厚さを変える自由度が高まる。その結果、発光性の有機化合物を含む層を光学
調整層の一部として用いることが可能になり、発光パネルの設計の自由度が高まり便利で
ある。
【００９０】
上記本発明の一態様の発光パネルは、一対の反射膜と半透過・半反射膜の間で強調された
６００ｎｍ以上８００ｎｍ未満の波長を有する光と、４００ｎｍ以上６００ｎｍ未満の波
長を有する光とを含む混合光を発する第１の発光素子と、該混合光から赤色を呈する光を
透過する層を介して取り出される赤色光を発する第２の発光素子と、一対の反射膜と半透
過・半反射膜の間で強調された５００ｎｍ以上６００ｎｍ未満の波長を有する光を発する
第３の発光素子と、一対の反射膜と半透過・半反射膜の間で強調された４００ｎｍ以上５
００ｎｍ未満の波長を有する光を発する第４の発光素子と、を備える。
【００９１】
これにより、第１の発光素子は長時間使用しても目が疲労し難い明度が高く淡い色を呈す
る光を、第２の発光素子は鮮やかな赤色を呈する光を、第３の発光素子は緑色を呈する光
を、第４の発光素子は青色を呈する光を発する発光パネルを構成できる。また、第２の発
光素子の他には特定の色を呈する光を透過する層が設けられていないため、発光性の有機
化合物を含む層が発する光を効率よく利用できる。特に、６００ｎｍ以上８００ｎｍ未満
の波長を有する光と、４００ｎｍ以上６００ｎｍ未満の波長を有する光とを含む混合光を
作り出す場合、第１の発光素子は、他の発光素子のいずれか二つを点灯する場合に比べて
効率よく作り出せる。したがって、色度図上で中央付近に配される色（例えば白色）を呈
する光を作り出す場合は、第１の発光素子が発する光に他の発光素子が発する光を加えて
作り出すと、パネル全体の消費電力を低減できる。その結果、鮮やかなフルカラーの発光
が可能であって、消費電力が低減された発光パネルを提供できる。
【００９２】
（実施の形態３）
本実施の形態では、４００ｎｍ以上５００ｎｍ未満の波長を有する光と、５００ｎｍ以上
６００ｎｍ未満の波長を有する光と、６００ｎｍ以上８００ｎｍ未満の波長を有する光と
を含む光を発する、一対の電極に挟持された発光性の有機化合物を含む層を、光学距離を
６００ｎｍ以上８００ｎｍ未満のＮ／２倍（Ｎは自然数）とする一対の反射膜と半透過・
半反射膜の間に設けて、明度が高く淡い色を呈する第１の発光素子と、光学距離を６００
ｎｍ以上８００ｎｍ未満のＮ／２倍（Ｎは自然数）とする一対の反射膜と半透過・半反射
膜の間に設け、更に赤色を呈する光を透過する層を該半透過・半反射膜に重ねて備える第
２の発光素子と、光学距離を５００ｎｍ以上６００ｎｍ未満のＮ／２倍（Ｎは自然数）と
する一対の反射膜と半透過・半反射膜の間に設けて、彩度が高い緑色を呈する第３の発光
素子と、光学距離を４００ｎｍ以上５００ｎｍ未満のＮ／２倍（Ｎは自然数）とする一対
の反射膜と半透過・半反射膜の間に設けて、彩度が高く青色を呈する第４の発光素子を有
する構成を備える発光パネルの作製方法について図３を参照して説明する。
【００９３】
＜第１のステップ＞
第１のステップでは、基板上に反射膜を形成する。反射膜は、実施の形態１において説明
した材料をその材料に適した方法を用いて成膜する。本実施の形態では、ガラス基板３０
０上にスパッタリング法を用いて導電性の反射膜３１１を形成する。導電性の反射膜３１
１としては、アルミニウム−チタン合金膜とその上にチタン膜を積層した積層膜をその例
に挙げることができる。
【００９４】
＜第２のステップ＞
第２のステップでは、反射膜上に光学調整層を形成する。光学調整層は、実施の形態１に
おいて説明した材料をその材料に適した方法を用いて成膜すればよい。光学調整層の厚さ
は、第１の発光素子及び第２の発光素子に設ける光学調整層を同じとする。本実施の形態
では、光学調整層として透光性を有する導電膜を、スパッタリング法を用いて導電性の反
射膜３１１上に形成する。透光性を有する導電膜としては、インジウム錫酸化物（ＩＴＯ
）をその例に挙げることができる。
【００９５】
＜第３のステップ＞
第３のステップでは、第３の発光素子となる領域に第１の発光素子及び第２の発光素子と
なる領域に設けられた光学調整層より薄い光学調整層３１３ｃを形成する。本実施の形態
では、第１の発光素子と第２の発光素子となる領域を覆うレジストマスク４０１ａを形成
した後、第３の発光素子となる領域の光学調整層を薄膜化する。薄膜化する方法としては
、例えば、あらかじめ所定のエッチングレートとなるように定めた条件で、所定の時間ド
ライエッチングすればよい。なお、この段階構成を図３（Ａ）に示す。
【００９６】
＜第４のステップ＞
第４のステップでは、第４の発光素子となる領域の光学調整層を第３の発光素子となる領
域に設けられた光学調整層より薄くする。本実施の形態では、第１の発光素子乃至第３の
発光素子となる領域を覆うレジストマスク４０１ｂを形成した後、第４の発光素子となる
領域の光学調整層をエッチングにより除去する。なお、この段階構成を図３（Ｂ）に示す
。
【００９７】
次に、レジストマスク４０１ｃを用いて反射膜３１１と光学調整層（３１３ａ、３１３ｂ
及び３１３ｃ）をエッチングし、一対の電極の一方となる電極を形成する。具体的には、
第１の発光素子となる領域に反射膜３１１ａと光学調整層３１３ａを、第２の発光素子と
なる領域に反射膜３１１ｂと光学調整層３１３ｂを、第３の発光素子となる領域に反射膜
３１１ｃと光学調整層３１３ｃを、第４の発光素子となる領域に反射膜３１１ｄを分離し
て形成する。なお、この段階の構成を図３（Ｃ）に示す。
【００９８】
次に、隔壁３０４を形成する。隔壁３０４は、第１の発光素子３１０乃至第４の発光素子
３４０のそれぞれが備える一対の電極の一方の表面に開口部を有する。隔壁３０４の形状
として、様々な形状を適用できる。代表的には、隣接する発光素子との間で発光性の有機
化合物を含む層または／および一対の電極の他方を分離するために段切れを引き起こす形
状、またはこれらを連続するために段切れを防ぐ形状を適用できる。
【００９９】
例えば、段切れを引き起こす形状としては、隔壁３０４が一対の電極の一方に接する脚部
よりその上の台部が基板面方向にせり出す形状、具体的には逆テーパー状やひさし状の形
状等を用いることができる。
【０１００】
例えば、段切れを防ぐ形状としては、隔壁３０４が一対の電極の一方に接する端部のテー
パー角が１０度以上８５度以下好ましくは６０度以上８０度以下とする形状を適用できる
。なお、この段階の構成を図４（Ａ）に示す。
【０１０１】
＜第５のステップ＞
第５のステップでは、６００ｎｍ以上８００ｎｍ未満の波長を有する光と、５００ｎｍ以
上６００ｎｍ未満の波長を有する光と、４００ｎｍ以上５００ｎｍ未満の波長を有する光
と、を含む光を発する発光性の有機化合物を含む層３０３を、第１の発光素子３１０の光
学調整層３１３ａと、第２の発光素子３２０の光学調整層３１３ｂと、第３の発光素子３
３０の光学調整層３１３ｃと、第４の発光素子３４０の反射膜３１１ｄに接して形成する
。
【０１０２】
発光性の有機化合物を含む層３０３は、実施の形態１または実施の形態４において説明す
る材料をその材料に適した方法を用いて成膜する。発光性の有機化合物を含む層３０３の
成膜方法としては、真空蒸着法、塗布法の他、インクジェット法を含む印刷法などを用い
ることができる。
【０１０３】
なお、本実施の形態では、白色を呈する光を発する発光性の有機化合物を含む層３０３を
形成する。
【０１０４】
＜第６のステップ＞
第６のステップでは、発光性の有機化合物を含む層３０３に接して、第１の発光素子３１
０の光学調整層３１３ａと、第２の発光素子３２０の光学調整層３１３ｂと、第３の発光
素子３３０の光学調整層３１３ｃと、第４の発光素子３４０の反射膜３１１ｄに重なる導
電性の半透過・半反射膜３１２を形成する。半透過・半反射膜３１２の作製方法としては
、波長が４００ｎｍ以上８００ｎｍ未満の範囲の光を一部反射し、一部を透過する程度の
厚さとなるように厚さを調整して金属膜を成膜すればよい。
【０１０５】
＜第７のステップ＞
第７のステップでは、第２の発光素子３２０の半透過・半反射膜３１２に重ねて、赤色を
呈する光を透過する層３１５を設ける。赤色を呈する光を透過する層３１５を設ける方法
としては、赤色の光を透過する層３１５があらかじめ形成された封止基板３６０を用いて
、赤色の光を透過する層３１５が第２の発光素子３２０の半透過・半反射膜３１２に重な
るように、封止基板３６０の位置をガラス基板３００に合わせてシール材を用いて貼り合
わせる。上記のステップを経て作製した本発明の一態様の発光パネル３５０の構成を図４
（Ｂ）に示す。
【０１０６】
上記本発明の一態様の発光パネルの作製方法によれば、発光素子毎に発光性の有機化合物
を含む層を作り分ける必要がないため、例えばメタルマスク（シャドーマスクともいう）
を用いない。その結果、工程が簡便で、歩留まりよく発光パネルを作製できる。
【０１０７】
また、発光性の有機化合物を含む層を形成する前にフォトリソグラフィ工程を用いて発光
素子を形成するため、高精細な発光素子を容易に形成できる。
【０１０８】
厚みが異なる２種類の光学調整層と、赤色のカラーフィルタを形成する工程により、発光
色が異なる４種類の発光素子（具体的には、赤、緑、青、明度が高い淡い色を呈する発光
素子）を備える発光パネルを作製できる。その結果、フルカラーが可能な発光パネルの簡
便な作製方法を提供できる。
【０１０９】
なお、本実施の形態は、本明細書で示す他の実施の形態と適宜組み合わせることができる
。
【０１１０】
（実施の形態４）
本実施の形態では、本発明の一態様の発光パネルに用いることができる、一対の電極に挟
持された発光性の有機化合物を含む層１０３の構成の一例について図５及び図６を参照し
て説明する。なお、本明細書において一対の電極と一対の電極に挟持された発光性の有機
化合物を含む層を合わせて発光ユニットという。
【０１１１】
本実施の形態で例示する発光ユニットは、第１の電極、第２の電極及び第１の電極と第２
の電極の間に発光性の有機化合物を含む層（以下ＥＬ層という）を備える。第１の電極ま
たは第２の電極のいずれか一方は陽極、他方が陰極として機能する。ＥＬ層は第１の電極
と第２の電極の間に設けられ、該ＥＬ層の構成は第１の電極と第２の電極の材質に合わせ
て適宜選択すればよい。以下に発光ユニットの構成の一例を例示するが、発光ユニットの
構成がこれに限定されないことはいうまでもない。
【０１１２】
＜発光ユニットの構成例１．＞
発光ユニットの構成の一例を図５（Ａ）に示す。図５（Ａ）に示す発光ユニットは、陽極
１１０１と陰極１１０２の間にＥＬ層１１０３が挟まれている。
【０１１３】
陽極１１０１と陰極１１０２の間に、発光ユニットの閾値電圧より高い電圧を印加すると
、ＥＬ層１１０３に陽極１１０１の側からホールが注入され、陰極１１０２の側から電子
が注入される。注入された電子とホールはＥＬ層１１０３において再結合し、ＥＬ層１１
０３に含まれる発光物質が発光する。
【０１１４】
ＥＬ層１１０３は、少なくとも発光物質を含む発光層を備えていればよく、発光層以外の
層と積層された構造であっても良い。発光層以外の層としては、例えばホール注入性の高
い物質、ホール輸送性の高い物質、ホール輸送性に乏しい（ブロッキングする）物質、電
子輸送性の高い物質、電子注入性の高い物質、並びにバイポーラ性（電子及びホールの輸
送性の高い）の物質等を含む層が挙げられる。
【０１１５】
ＥＬ層１１０３の具体的な構成の一例を図５（Ｂ）に示す。図５（Ｂ）に示すＥＬ層１１
０３は、ホール注入層１１１３、ホール輸送層１１１４、発光層１１１５、電子輸送層１
１１６、並びに電子注入層１１１７が陽極１１０１側からこの順に積層されている。
【０１１６】
＜発光ユニットの構成例２．＞
発光ユニットの構成の他の一例を図５（Ｃ）に示す。図５（Ｃ）に例示する発光ユニット
は、陽極１１０１と陰極１１０２の間にＥＬ層１１０３が挟まれている。さらに、陰極１
１０２とＥＬ層１１０３との間には中間層１１０４が設けられている。なお、当該発光ユ
ニットの構成例２のＥＬ層１１０３には、上述の発光ユニットの構成例１と同様の構成が
適用可能であり、詳細については、発光ユニットの構成例１の記載を参酌できる。
【０１１７】
中間層１１０４は少なくとも電荷発生領域を含んで形成されていればよく、電荷発生領域
以外の層と積層された構成であってもよい。例えば、第１の電荷発生領域１１０４ｃ、電
子リレー層１１０４ｂ、及び電子注入バッファー１１０４ａが陰極１１０２側から順次積
層された構造を適用することができる。
【０１１８】
中間層１１０４における電子とホールの挙動について説明する。陽極１１０１と陰極１１
０２の間に、発光ユニットの閾値電圧より高い電圧を印加すると、第１の電荷発生領域１
１０４ｃにおいて、ホールと電子が発生し、ホールは陰極１１０２へ移動し、電子は電子
リレー層１１０４ｂへ移動する。電子リレー層１１０４ｂは電子輸送性が高く、第１の電
荷発生領域１１０４ｃで生じた電子を電子注入バッファー１１０４ａに速やかに受け渡す
。電子注入バッファー１１０４ａはＥＬ層１１０３に電子を注入する障壁を緩和し、ＥＬ
層１１０３への電子注入効率を高める。従って、第１の電荷発生領域１１０４ｃで発生し
た電子は、電子リレー層１１０４ｂと電子注入バッファー１１０４ａを経て、ＥＬ層１１
０３のＬＵＭＯ準位に注入される。
【０１１９】
また、電子リレー層１１０４ｂは、第１の電荷発生領域１１０４ｃを構成する物質と電子
注入バッファー１１０４ａを構成する物質が界面で反応し、互いの機能が損なわれてしま
う等の相互作用を防ぐことができる。
【０１２０】
発光ユニットの構成例２の陰極に用いることができる材料の選択の幅は、構成例１の陰極
に用いることができる材料の選択の幅に比べて、広い。なぜなら、構成例２の陰極は中間
層が発生する正孔を受け取ればよく、仕事関数が比較的大きな材料を適用できるからであ
る。
【０１２１】
＜発光ユニットの構成例３．＞
発光ユニットの構成の他の一例を図６（Ａ）に示す。図６（Ａ）に例示する発光ユニット
は、陽極１１０１と陰極１１０２の間にＥＬ層が２つ設けられている。さらに、ＥＬ層１
１０３ａと、ＥＬ層１１０３ｂとの間には中間層１１０４が設けられている。
【０１２２】
なお、陽極と陰極の間に設けるＥＬ層は２つに限定されない。図６（Ｂ）に例示する発光
ユニットは、ＥＬ層１１０３が複数積層された構造、所謂、タンデム型の発光素子の構成
を備える。但し、例えば陽極と陰極の間にｎ（ｎは２以上の自然数）層のＥＬ層１１０３
を設ける場合には、ｍ（ｍは自然数、１以上（ｎ−１）以下）番目のＥＬ層と、（ｍ＋１
）番目のＥＬ層との間に、それぞれ中間層１１０４を設ける構成とする。
【０１２３】
また、当該発光ユニットの構成例３のＥＬ層１１０３には、上述の発光ユニットの構成例
１と同様の構成を適用することが可能であり、また当該発光ユニットの構成例３の中間層
１１０４には、上述の発光ユニットの構成例２と同様の構成が適用可能である。よって、
詳細については、発光ユニットの構成例１、または発光ユニットの構成例２の記載を参酌
できる。
【０１２４】
ＥＬ層の間に設けられた中間層１１０４における電子とホールの挙動について説明する。
陽極１１０１と陰極１１０２の間に、発光ユニットの閾値電圧より高い電圧を印加すると
、中間層１１０４においてホールと電子が発生し、ホールは陰極１１０２側に設けられた
ＥＬ層へ移動し、電子は陽極側に設けられたＥＬ層へ移動する。陰極側に設けられたＥＬ
層に注入されたホールは、陰極側から注入された電子と再結合し、当該ＥＬ層に含まれる
発光物質が発光する。また、陽極側に設けられたＥＬ層に注入された電子は、陽極側から
注入されたホールと再結合し、当該ＥＬ層に含まれる発光物質が発光する。よって、中間
層１１０４において発生したホールと電子は、それぞれ異なるＥＬ層において発光に至る
。
【０１２５】
なお、ＥＬ層同士を接して設けることで、両者の間に中間層と同じ構成が形成される場合
は、ＥＬ層同士を接して設けることができる。具体的には、ＥＬ層の一方の面に電荷発生
領域が形成されていると、当該電荷発生領域は中間層の第１の電荷発生領域として機能す
るため、ＥＬ層同士を接して設けることができる。
【０１２６】
発光ユニットの構成例１乃至構成例３は、互いに組み合わせて用いることができる。例え
ば、発光ユニットの構成例３の陰極とＥＬ層の間に中間層を設けることもできる。
【０１２７】
＜発光ユニットに用いることができる材料＞
次に、上述した構成を備える発光ユニットに用いることができる具体的な材料について、
陽極、陰極、ＥＬ層、第１の電荷発生領域、電子リレー層、並びに電子注入バッファーの
順に説明する。
【０１２８】
＜陽極に用いることができる材料＞
陽極１１０１は、仕事関数の大きい（具体的には４．０ｅＶ以上が好ましい）金属、合金
、電気伝導性化合物、およびこれらの混合物などを用いることが好ましい。具体的には、
例えば、酸化インジウム−酸化スズ（ＩＴＯ：Ｉｎｄｉｕｍ  Ｔｉｎ  Ｏｘｉｄｅ）、珪
素若しくは酸化珪素を含有したインジウム錫酸化物、インジウム亜鉛酸化物、酸化タング
ステン及び酸化亜鉛を含有した酸化インジウム等が挙げられる。
【０１２９】
これらの導電性金属酸化物膜は、通常スパッタリング法により成膜されるが、ゾル−ゲル
法などを応用して作製しても構わない。例えば、酸化インジウム−酸化亜鉛膜は、酸化イ
ンジウムに対し１ｗｔ％以上２０ｗｔ％以下の酸化亜鉛を加えたターゲットを用いてスパ
ッタリング法により形成することができる。また、酸化タングステン及び酸化亜鉛を含有
した酸化インジウム膜は、酸化インジウムに対し酸化タングステンを０．５ｗｔ％以上５
ｗｔ％以下、酸化亜鉛を０．１ｗｔ％以上１ｗｔ％以下含有したターゲットを用いてスパ
ッタリング法により形成することができる。
【０１３０】
この他、金（Ａｕ）、白金（Ｐｔ）、ニッケル（Ｎｉ）、タングステン（Ｗ）、クロム（
Ｃｒ）、モリブデン（Ｍｏ）、鉄（Ｆｅ）、コバルト（Ｃｏ）、銅（Ｃｕ）、パラジウム
（Ｐｄ）、チタン（Ｔｉ）、または金属材料の窒化物（例えば、窒化チタン等）、モリブ
デン酸化物、バナジウム酸化物、ルテニウム酸化物、タングステン酸化物、マンガン酸化
物、チタン酸化物等が挙げられる。また、ポリ（３，４−エチレンジオキシチオフェン）
／ポリ（スチレンスルホン酸）（ＰＥＤＯＴ／ＰＳＳ）、ポリアニリン／ポリ（スチレン
スルホン酸）（ＰＡｎｉ／ＰＳＳ）等の導電性ポリマーを用いても良い。
【０１３１】
但し、陽極１１０１と接して第２の電荷発生領域を設ける場合には、仕事関数を考慮せず
に様々な導電性材料を陽極１１０１に用いることができる。具体的には、仕事関数の大き
い材料だけでなく、仕事関数の小さい材料を用いることもできる。第２の電荷発生領域を
構成する材料については、第１の電荷発生領域と共に後述する。
【０１３２】
＜陰極に用いることができる材料＞
陰極１１０２に接して第１の電荷発生領域１１０４ｃを、ＥＬ層１１０３との間に設ける
場合、陰極１１０２は仕事関数の大小に関わらず様々な導電性材料を用いることができる
。
【０１３３】
なお、陰極１１０２および陽極１１０１のうち少なくとも一方を、可視光を透過する導電
膜を用いて形成する。可視光を透過する導電膜としては、例えば酸化タングステンを含む
インジウム酸化物、酸化タングステンを含むインジウム亜鉛酸化物、酸化チタンを含むイ
ンジウム酸化物、酸化チタンを含むインジウム錫酸化物、インジウム錫酸化物（以下、Ｉ
ＴＯと示す。）、インジウム亜鉛酸化物、酸化ケイ素を添加したインジウム錫酸化物など
を挙げることができる。また、光を透過する程度（好ましくは、５ｎｍ以上３０ｎｍ以下
程度）の金属薄膜を用いることもできる。
【０１３４】
＜ＥＬ層に用いることができる材料＞
上述したＥＬ層１１０３を構成する各層に用いることができる材料について、以下に具体
例を示す。
【０１３５】
正孔注入層は、正孔注入性の高い物質を含む層である。正孔注入性の高い物質としては、
例えば、モリブデン酸化物やバナジウム酸化物、ルテニウム酸化物、タングステン酸化物
、マンガン酸化物等を用いることができる。この他、フタロシアニン（略称：Ｈ２Ｐｃ）
や銅フタロシアニン（略称：ＣｕＰｃ）等のフタロシアニン系の化合物、或いはポリ（３
，４−エチレンジオキシチオフェン）／ポリ（スチレンスルホン酸）（ＰＥＤＯＴ／ＰＳ
Ｓ）等の高分子等によっても正孔注入層を形成することができる。
【０１３６】
なお、第２の電荷発生領域を用いて正孔注入層を形成してもよい。正孔注入層に第２の電
荷発生領域を用いると、仕事関数を考慮せずに様々な導電性材料を陽極１１０１に用いる
ことができるのは前述の通りである。第２の電荷発生領域を構成する材料については第１
の電荷発生領域と共に後述する。
【０１３７】
正孔輸送層は、正孔輸送性の高い物質を含む層である。正孔輸送性の高い物質としては、
例えば、４，４’−ビス［Ｎ−（１−ナフチル）−Ｎ−フェニルアミノ］ビフェニル（略
称：ＮＰＢまたはα−ＮＰＤ）やＮ，Ｎ’−ビス（３−メチルフェニル）−Ｎ，Ｎ’−ジ
フェニル−［１，１’−ビフェニル］−４，４’−ジアミン（略称：ＴＰＤ）、４−フェ
ニル−４’−（９−フェニルフルオレン−９−イル）トリフェニルアミン（略称：ＢＰＡ
ＦＬＰ）、４，４’，４’’−トリス（カルバゾール−９−イル）トリフェニルアミン（
略称：ＴＣＴＡ）、４，４’，４’’−トリス（Ｎ，Ｎ−ジフェニルアミノ）トリフェニ
ルアミン（略称：ＴＤＡＴＡ）、４，４’，４’’−トリス［Ｎ−（３−メチルフェニル
）−Ｎ−フェニルアミノ］トリフェニルアミン（略称：ＭＴＤＡＴＡ）、４，４’−ビス
［Ｎ−（スピロ−９，９’−ビフルオレン−２−イル）−Ｎ―フェニルアミノ］ビフェニ
ル（略称：ＢＳＰＢ）などの芳香族アミン化合物、３−［Ｎ−（９−フェニルカルバゾー
ル−３−イル）−Ｎ−フェニルアミノ］−９−フェニルカルバゾール（略称：ＰＣｚＰＣ
Ａ１）、３，６−ビス［Ｎ−（９−フェニルカルバゾール−３−イル）−Ｎ−フェニルア
ミノ］−９−フェニルカルバゾール（略称：ＰＣｚＰＣＡ２）、３−［Ｎ−（１−ナフチ
ル）−Ｎ−（９−フェニルカルバゾール−３−イル）アミノ］−９−フェニルカルバゾー
ル（略称：ＰＣｚＰＣＮ１）等が挙げられる。その他、４，４’−ジ（Ｎ−カルバゾリル
）ビフェニル（略称：ＣＢＰ）、１，３，５−トリス［４−（Ｎ−カルバゾリル）フェニ
ル］ベンゼン（略称：ＴＣＰＢ）、９−［４−（１０−フェニル−９−アントラセニル）
フェニル］−９Ｈ−カルバゾール（略称：ＣｚＰＡ）等のカルバゾール誘導体、等を用い
ることができる。ここに述べた物質は、主に１０−６ｃｍ２／Ｖｓ以上の正孔移動度を有
する物質である。但し、電子よりも正孔の輸送性の高い物質であれば、これら以外のもの
を用いてもよい。なお、正孔輸送性の高い物質を含む層は、単層のものだけでなく、上記
物質からなる層が二層以上積層したものとしてもよい。
【０１３８】
これ以外にも、ポリ（Ｎ−ビニルカルバゾール）（略称：ＰＶＫ）、ポリ（４−ビニルト
リフェニルアミン）（略称：ＰＶＴＰＡ）、ポリ［Ｎ−（４−｛Ｎ’−［４−（４−ジフ
ェニルアミノ）フェニル］フェニル−Ｎ’−フェニルアミノ｝フェニル）メタクリルアミ
ド］（略称：ＰＴＰＤＭＡ）、ポリ［Ｎ，Ｎ’−ビス（４−ブチルフェニル）−Ｎ，Ｎ’
−ビス（フェニル）ベンジジン］（略称：Ｐｏｌｙ−ＴＰＤ）などの高分子化合物を正孔
輸送層に用いることができる。
【０１３９】
発光層は、発光物質を含む層である。発光物質としては、以下に示す蛍光性化合物を用い
ることができる。例えば、Ｎ，Ｎ’−ビス［４−（９Ｈ−カルバゾール−９−イル）フェ
ニル］−Ｎ，Ｎ’−ジフェニルスチルベン−４，４’−ジアミン（略称：ＹＧＡ２Ｓ）、
４−（９Ｈ−カルバゾール−９−イル）−４’−（１０−フェニル−９−アントリル）ト
リフェニルアミン（略称：ＹＧＡＰＡ）、４−（９Ｈ−カルバゾール−９−イル）−４’
−（９，１０−ジフェニル−２−アントリル）トリフェニルアミン（略称：２ＹＧＡＰＰ
Ａ）、Ｎ，９−ジフェニル−Ｎ−［４−（１０−フェニル−９−アントリル）フェニル］
−９Ｈ−カルバゾール−３−アミン（略称：ＰＣＡＰＡ）、ペリレン、２，５，８，１１
−テトラ−ｔｅｒｔ−ブチルペリレン（略称：ＴＢＰ）、４−（１０−フェニル−９−ア
ントリル）−４’−（９−フェニル−９Ｈ−カルバゾール−３−イル）トリフェニルアミ
ン（略称：ＰＣＢＡＰＡ）、Ｎ，Ｎ’’−（２−ｔｅｒｔ−ブチルアントラセン−９，１
０−ジイルジ−４，１−フェニレン）ビス［Ｎ，Ｎ’，Ｎ’−トリフェニル−１，４−フ
ェニレンジアミン］（略称：ＤＰＡＢＰＡ）、Ｎ，９−ジフェニル−Ｎ−［４−（９，１
０−ジフェニル−２−アントリル）フェニル］−９Ｈ−カルバゾール−３−アミン（略称
：２ＰＣＡＰＰＡ）、Ｎ−［４−（９，１０−ジフェニル−２−アントリル）フェニル］
−Ｎ，Ｎ’，Ｎ’−トリフェニル−１，４−フェニレンジアミン（略称：２ＤＰＡＰＰＡ
）、Ｎ，Ｎ，Ｎ’，Ｎ’，Ｎ’’，Ｎ’’，Ｎ’’’，Ｎ’’’−オクタフェニルジベン
ゾ［ｇ，ｐ］クリセン−２，７，１０，１５−テトラアミン（略称：ＤＢＣ１）、クマリ
ン３０、Ｎ−（９，１０−ジフェニル−２−アントリル）−Ｎ，９−ジフェニル−９Ｈ−
カルバゾール−３−アミン（略称：２ＰＣＡＰＡ）、Ｎ−［９，１０−ビス（１，１’−
ビフェニル−２−イル）−２−アントリル］−Ｎ，９−ジフェニル−９Ｈ−カルバゾール
−３−アミン（略称：２ＰＣＡＢＰｈＡ）、Ｎ−（９，１０−ジフェニル−２−アントリ
ル）−Ｎ，Ｎ’，Ｎ’−トリフェニル−１，４−フェニレンジアミン（略称：２ＤＰＡＰ
Ａ）、Ｎ−［９，１０−ビス（１，１’−ビフェニル−２−イル）−２−アントリル］−
Ｎ，Ｎ’，Ｎ’−トリフェニル−１，４−フェニレンジアミン（略称：２ＤＰＡＢＰｈＡ
）、９，１０−ビス（１，１’−ビフェニル−２−イル）−Ｎ−［４−（９Ｈ−カルバゾ
ール−９−イル）フェニル］−Ｎ−フェニルアントラセン−２−アミン（略称：２ＹＧＡ
ＢＰｈＡ）、Ｎ，Ｎ，９−トリフェニルアントラセン−９−アミン（略称：ＤＰｈＡＰｈ
Ａ）、クマリン５４５Ｔ、Ｎ，Ｎ’−ジフェニルキナクリドン（略称：ＤＰＱｄ）、ルブ
レン、５，１２−ビス（１，１’−ビフェニル−４−イル）−６，１１−ジフェニルテト
ラセン（略称：ＢＰＴ）、２−（２−｛２−［４−（ジメチルアミノ）フェニル］エテニ
ル｝−６−メチル−４Ｈ−ピラン−４−イリデン）プロパンジニトリル（略称：ＤＣＭ１
）、２−｛２−メチル−６−［２−（２，３，６，７−テトラヒドロ−１Ｈ，５Ｈ−ベン
ゾ［ｉｊ］キノリジン−９−イル）エテニル］−４Ｈ−ピラン−４−イリデン｝プロパン
ジニトリル（略称：ＤＣＭ２）、Ｎ，Ｎ，Ｎ’，Ｎ’−テトラキス（４−メチルフェニル
）テトラセン−５，１１−ジアミン（略称：ｐ−ｍＰｈＴＤ）、７，１４−ジフェニル−
Ｎ，Ｎ，Ｎ’，Ｎ’−テトラキス（４−メチルフェニル）アセナフト［１，２−ａ］フル
オランテン−３，１０−ジアミン（略称：ｐ−ｍＰｈＡＦＤ）、２−｛２−イソプロピル
−６−［２−（１，１，７，７−テトラメチル−２，３，６，７−テトラヒドロ−１Ｈ，
５Ｈ−ベンゾ［ｉｊ］キノリジン−９−イル）エテニル］−４Ｈ−ピラン−４−イリデン
｝プロパンジニトリル（略称：ＤＣＪＴＩ）、２−｛２−ｔｅｒｔ−ブチル−６−［２−
（１，１，７，７−テトラメチル−２，３，６，７−テトラヒドロ−１Ｈ，５Ｈ−ベンゾ
［ｉｊ］キノリジン−９−イル）エテニル］−４Ｈ−ピラン−４−イリデン｝プロパンジ
ニトリル（略称：ＤＣＪＴＢ）、２−（２，６−ビス｛２−［４−（ジメチルアミノ）フ
ェニル］エテニル｝−４Ｈ−ピラン−４−イリデン）プロパンジニトリル（略称：Ｂｉｓ
ＤＣＭ）、２−｛２，６−ビス［２−（８−メトキシ−１，１，７，７−テトラメチル−
２，３，６，７−テトラヒドロ−１Ｈ，５Ｈ−ベンゾ［ｉｊ］キノリジン−９−イル）エ
テニル］−４Ｈ−ピラン−４−イリデン｝プロパンジニトリル（略称：ＢｉｓＤＣＪＴＭ
）、ＳＤ１（商品名；ＳＦＣ  Ｃｏ．，  Ｌｔｄ製）などが挙げられる。
【０１４０】
また、発光物質としては、以下に示す燐光性化合物を用いることもできる。例えば、ビス
［２−（４’，６’−ジフルオロフェニル）ピリジナト−Ｎ，Ｃ２’］イリジウム（ＩＩ
Ｉ）テトラキス（１−ピラゾリル）ボラート（略称：ＦＩｒ６）、ビス［２−（４’，６
’−ジフルオロフェニル）ピリジナト−Ｎ，Ｃ２’］イリジウム（ＩＩＩ）ピコリナート
（略称：ＦＩｒｐｉｃ）、ビス［２−（３’，５’−ビストリフルオロメチルフェニル）
ピリジナト−Ｎ，Ｃ２’］イリジウム（ＩＩＩ）ピコリナート（略称：Ｉｒ（ＣＦ３ｐｐ
ｙ）２（ｐｉｃ））、ビス［２−（４’，６’−ジフルオロフェニル）ピリジナト−Ｎ，
Ｃ２’］イリジウム（ＩＩＩ）アセチルアセトナート（略称：ＦＩｒａｃａｃ）、トリス
（２−フェニルピリジナト）イリジウム（ＩＩＩ）（略称：Ｉｒ（ｐｐｙ）３）、ビス（
２−フェニルピリジナト）イリジウム（ＩＩＩ）アセチルアセトナート（略称：Ｉｒ（ｐ
ｐｙ）２（ａｃａｃ））、ビス（ベンゾ［ｈ］キノリナト）イリジウム（ＩＩＩ）アセチ
ルアセトナート（略称：Ｉｒ（ｂｚｑ）２（ａｃａｃ））、ビス（２，４−ジフェニル−
１，３−オキサゾラト−Ｎ，Ｃ２’）イリジウム（ＩＩＩ）アセチルアセトナート（略称
：Ｉｒ（ｄｐｏ）２（ａｃａｃ））、ビス［２−（４’−パーフルオロフェニルフェニル
）ピリジナト］イリジウム（ＩＩＩ）アセチルアセトナート（略称：Ｉｒ（ｐ−ＰＦ−ｐ
ｈ）２（ａｃａｃ））、ビス（２−フェニルベンゾチアゾラト−Ｎ，Ｃ２’）イリジウム
（ＩＩＩ）アセチルアセトナート（略称：Ｉｒ（ｂｔ）２（ａｃａｃ））、ビス［２−（
２’−ベンゾ［４，５−α］チエニル）ピリジナト−Ｎ，Ｃ３’］イリジウム（ＩＩＩ）
アセチルアセトナート（略称：Ｉｒ（ｂｔｐ）２（ａｃａｃ））、ビス（１−フェニルイ
ソキノリナト−Ｎ，Ｃ２’）イリジウム（ＩＩＩ）アセチルアセトナート（略称：Ｉｒ（
ｐｉｑ）２（ａｃａｃ））、（アセチルアセトナト）ビス［２，３−ビス（４−フルオロ
フェニル）キノキサリナト］イリジウム（ＩＩＩ）（略称：Ｉｒ（Ｆｄｐｑ）２（ａｃａ
ｃ））、（アセチルアセトナト）ビス（２，３，５−トリフェニルピラジナト）イリジウ
ム（ＩＩＩ）（略称：Ｉｒ（ｔｐｐｒ）２（ａｃａｃ））、２，３，７，８，１２，１３
，１７，１８−オクタエチル−２１Ｈ，２３Ｈ−ポルフィリン白金（ＩＩ）（略称：Ｐｔ
ＯＥＰ）、トリス（アセチルアセトナト）（モノフェナントロリン）テルビウム（ＩＩＩ
）（略称：Ｔｂ（ａｃａｃ）３（Ｐｈｅｎ））、トリス（１，３−ジフェニル−１，３−
プロパンジオナト）（モノフェナントロリン）ユーロピウム（ＩＩＩ）（略称：Ｅｕ（Ｄ
ＢＭ）３（Ｐｈｅｎ））、トリス［１−（２−テノイル）−３，３，３−トリフルオロア
セトナト］（モノフェナントロリン）ユーロピウム（ＩＩＩ）（略称：Ｅｕ（ＴＴＡ）３
（Ｐｈｅｎ））、））、（ジピバロイルメタナト）ビス（２，３，５−トリフェニルピラ
ジナト）イリジウム（ＩＩＩ）（略称：Ｉｒ（ｔｐｐｒ）２（ｄｐｍ））などが挙げられ
る。
【０１４１】
なお、これらの発光物質は、ホスト材料に分散させて用いるのが好ましい。ホスト材料と
しては、例えば、ＮＰＢ（略称）、ＴＰＤ（略称）、ＴＣＴＡ（略称）、ＴＤＡＴＡ（略
称）、ＭＴＤＡＴＡ（略称）、ＢＳＰＢ（略称）などの芳香族アミン化合物、ＰＣｚＰＣ
Ａ１（略称）、ＰＣｚＰＣＡ２（略称）、ＰＣｚＰＣＮ１（略称）、ＣＢＰ（略称）、Ｔ
ＣＰＢ（略称）、ＣｚＰＡ（略称）、９−フェニル−３−［４−（１０−フェニル−９−
アントリル）フェニル］−９Ｈ−カルバゾール（略称：ＰＣｚＰＡ）、４−フェニル−４
’−（９−フェニル−９Ｈ−カルバゾール−３−イル）トリフェニルアミン（略称：ＰＣ
ＢＡ１ＢＰ）などのカルバゾール誘導体、ＰＶＫ（略称）、ＰＶＴＰＡ（略称）、ＰＴＰ
ＤＭＡ（略称）、Ｐｏｌｙ−ＴＰＤ（略称）などの高分子化合物を含む正孔輸送性の高い
物質や、トリス（８−キノリノラト）アルミニウム（略称：Ａｌｑ）、トリス（４−メチ
ル−８−キノリノラト）アルミニウム（略称：Ａｌｍｑ３）、ビス（１０−ヒドロキシベ
ンゾ［ｈ］キノリナト）ベリリウム（略称：ＢｅＢｑ２）、ビス（２−メチル−８−キノ
リノラト）（４−フェニルフェノラト）アルミニウム（略称：ＢＡｌｑ）など、キノリン
骨格またはベンゾキノリン骨格を有する金属錯体、ビス［２−（２−ヒドロキシフェニル
）ベンズオキサゾラト］亜鉛（略称：Ｚｎ（ＢＯＸ）２）、ビス［２−（２−ヒドロキシ
フェニル）ベンゾチアゾラト］亜鉛（略称：Ｚｎ（ＢＴＺ）２）などのオキサゾール系、
チアゾール系配位子を有する金属錯体、さらに、２−（４−ビフェニリル）−５−（４−
ｔｅｒｔ−ブチルフェニル）−１，３，４−オキサジアゾール（略称：ＰＢＤ）や、１，
３−ビス［５−（ｐ−ｔｅｒｔ−ブチルフェニル）−１，３，４−オキサジアゾール−２
−イル］ベンゼン（略称：ＯＸＤ−７）、９−［４−（５−フェニル−１，３，４−オキ
サジアゾール−２−イル）フェニル］カルバゾール（略称：ＣＯ１１）、３−（４−ビフ
ェニリル）−４−フェニル−５−（４−ｔｅｒｔ−ブチルフェニル）−１，２，４−トリ
アゾール（略称：ＴＡＺ）、バソフェナントロリン（略称：ＢＰｈｅｎ）、バソキュプロ
イン（略称：ＢＣＰ）などの電子輸送性の高い物質を用いることができる。
【０１４２】
電子輸送層は、電子輸送性の高い物質を含む層である。電子輸送性の高い物質としては、
例えば、Ａｌｑ（略称）、Ａｌｍｑ３（略称）、ＢｅＢｑ２（略称）、ＢＡｌｑ（略称）
など、キノリン骨格またはベンゾキノリン骨格を有する金属錯体等を用いることができる
。また、この他Ｚｎ（ＢＯＸ）２（略称）、Ｚｎ（ＢＴＺ）２（略称）などのオキサゾー
ル系、チアゾール系配位子を有する金属錯体なども用いることができる。さらに、金属錯
体以外にも、ＰＢＤ（略称）や、ＯＸＤ−７（略称）、ＣＯ１１（略称）、ＴＡＺ（略称
）、ＢＰｈｅｎ（略称）、ＢＣＰ（略称）、２−［４−（ジベンゾチオフェン−４−イル
）フェニル］−１−フェニル−１Ｈ−ベンゾイミダゾール（略称：ＤＢＴＢＩｍ−ＩＩ）
なども用いることができる。ここに述べた物質は、主に１０−６ｃｍ２／Ｖｓ以上の電子
移動度を有する物質である。なお、正孔よりも電子の輸送性の高い物質であれば、これら
以外のものを用いてもよい。また、電子輸送層は、単層のものだけでなく、上記物質から
なる層を二層以上積層したものを用いてもよい。
【０１４３】
また、高分子化合物を用いることもできる。例えば、ポリ［（９，９−ジヘキシルフルオ
レン−２，７−ジイル）−ｃｏ−（ピリジン−３，５−ジイル）］（略称：ＰＦ−Ｐｙ）
、ポリ［（９，９−ジオクチルフルオレン−２，７−ジイル）−ｃｏ−（２，２’−ビピ
リジン−６，６’−ジイル）］（略称：ＰＦ−ＢＰｙ）などを用いることができる。
【０１４４】
電子注入層は、電子注入性の高い物質を含む層である。電子注入性の高い物質としては、
リチウム（Ｌｉ）、セシウム（Ｃｓ）、カルシウム（Ｃａ）、フッ化リチウム（ＬｉＦ）
、フッ化セシウム（ＣｓＦ）、フッ化カルシウム（ＣａＦ２）等のアルカリ金属、アルカ
リ土類金属、またはこれらの化合物が挙げられる。また、電子輸送性を有する物質中にア
ルカリ金属、アルカリ土類金属、マグネシウム（Ｍｇ）又はそれらの化合物を含有させた
もの、例えばＡｌｑ中にマグネシウム（Ｍｇ）を含有させたもの等を用いることもできる
。この様な構造とすることにより、陰極１１０２からの電子注入効率をより高めることが
できる。
【０１４５】
これらの層を適宜組み合わせてＥＬ層１１０３を形成する方法としては、種々の方法（例
えば、乾式法や湿式法等）を適宜選択することができる。例えば、用いる材料に応じて真
空蒸着法、インクジェット法またはスピンコート法などを選んで用いればよい。また、各
層で異なる方法を用いて形成してもよい。
【０１４６】
＜電荷発生領域に用いることができる材料＞
第１の電荷発生領域１１０４ｃ、及び第２の電荷発生領域は、正孔輸送性の高い物質とア
クセプター性物質を含む領域である。なお、電荷発生領域は、同一膜中に正孔輸送性の高
い物質とアクセプター性物質を含有する場合だけでなく、正孔輸送性の高い物質を含む層
とアクセプター性物質を含む層とが積層されていても良い。但し、第１の電荷発生領域を
陰極側に設ける積層構造の場合には、正孔輸送性の高い物質を含む層が陰極１１０２と接
する構造となり、第２の電荷発生領域を陽極側に設ける積層構造の場合には、アクセプタ
ー性物質を含む層が陽極１１０１と接する構造となる。
【０１４７】
なお、電荷発生領域において、正孔輸送性の高い物質に対して質量比で、０．１以上４．
０以下の比率でアクセプター性物質を添加することが好ましい。
【０１４８】
電荷発生領域に用いるアクセプター性物質としては、遷移金属酸化物や元素周期表におけ
る第４族乃至第８族に属する金属の酸化物を挙げることができる。具体的には、酸化モリ
ブデンが特に好ましい。なお、酸化モリブデンは、吸湿性が低いという特徴を有している
。
【０１４９】
また、電荷発生領域に用いる正孔輸送性の高い物質としては、芳香族アミン化合物、カル
バゾール誘導体、芳香族炭化水素、高分子化合物（オリゴマー、デンドリマー、ポリマー
等）など、種々の有機化合物を用いることができる。具体的には、１０−６ｃｍ２／Ｖｓ
以上の正孔移動度を有する物質であることが好ましい。但し、電子よりも正孔の輸送性の
高い物質であれば、これら以外のものを用いてもよい。
【０１５０】
＜電子リレー層に用いることができる材料＞
電子リレー層１１０４ｂは、第１の電荷発生領域１１０４ｃにおいてアクセプター性物質
がひき抜いた電子を速やかに受け取ることができる層である。従って、電子リレー層１１
０４ｂは、電子輸送性の高い物質を含む層であり、またそのＬＵＭＯ準位は、第１の電荷
発生領域１１０４ｃにおけるアクセプター性物質のアクセプター準位と、ＥＬ層１１０３
のＬＵＭＯ準位との間に位置する。具体的には、およそ−５．０ｅＶ以上−３．０ｅＶ以
下とするのが好ましい。
【０１５１】
電子リレー層１１０４ｂに用いる物質としては、例えば、ペリレン誘導体や、含窒素縮合
芳香族化合物が挙げられる。なお、含窒素縮合芳香族化合物は、安定な化合物であるため
電子リレー層１１０４ｂに用いる物質として好ましい。さらに、含窒素縮合芳香族化合物
のうち、シアノ基やフルオロ基などの電子吸引基を有する化合物を用いることにより、電
子リレー層１１０４ｂにおける電子の受け取りがさらに容易になるため、好ましい。
【０１５２】
ペリレン誘導体の具体例としては、３，４，９，１０−ペリレンテトラカルボン酸二無水
物（略称：ＰＴＣＤＡ）、３，４，９，１０−ペリレンテトラカルボキシリックビスベン
ゾイミダゾール（略称：ＰＴＣＢＩ）、Ｎ，Ｎ’−ジオクチルー３，４，９，１０−ペリ
レンテトラカルボン酸ジイミド（略称：ＰＴＣＤＩ−Ｃ８Ｈ）、Ｎ，Ｎ’−ジヘキシルー
３，４，９，１０−ペリレンテトラカルボン酸ジイミド（略称：Ｈｅｘ  ＰＴＣ）等が挙
げられる。
【０１５３】
また、含窒素縮合芳香族化合物の具体例としては、ピラジノ［２，３−ｆ］［１，１０］
フェナントロリン−２，３−ジカルボニトリル（略称：ＰＰＤＮ）、２，３，６，７，１
０，１１−ヘキサシアノ−１，４，５，８，９，１２−ヘキサアザトリフェニレン（略称
：ＨＡＴ（ＣＮ）６）、２，３−ジフェニルピリド［２，３−ｂ］ピラジン（略称：２Ｐ
ＹＰＲ）、２，３−ビス（４−フルオロフェニル）ピリド［２，３−ｂ］ピラジン（略称
：Ｆ２ＰＹＰＲ）等が挙げられる。
【０１５４】
その他にも、７，７，８，８−テトラシアノキノジメタン（略称：ＴＣＮＱ）、１，４，
５，８−ナフタレンテトラカルボン酸二無水物（略称：ＮＴＣＤＡ）、パーフルオロペン
タセン、銅ヘキサデカフルオロフタロシアニン（略称：Ｆ１６ＣｕＰｃ）、Ｎ，Ｎ’−ビ
ス（２，２，３，３，４，４，５，５，６，６，７，７，８，８，８ペンタデカフルオロ
オクチル−１、４、５、８−ナフタレンテトラカルボン酸ジイミド（略称：ＮＴＣＤＩ−
Ｃ８Ｆ）、３’，４’−ジブチル−５，５’’−ビス（ジシアノメチレン）−５，５’’
−ジヒドロ−２，２’：５’，２’’−テルチオフェン（略称：ＤＣＭＴ）、メタノフラ
ーレン（例えば［６，６］−フェニルＣ６１酪酸メチルエステル）等を電子リレー層１１
０４ｂに用いることができる。
【０１５５】
＜電子注入バッファーに用いることができる材料＞
電子注入バッファー１１０４ａは、第１の電荷発生領域１１０４ｃからＥＬ層１１０３へ
の電子の注入を容易にする層である。電子注入バッファー１１０４ａを第１の電荷発生領
域１１０４ｃとＥＬ層１１０３の間に設けることにより、両者の注入障壁を緩和すること
ができる。
【０１５６】
電子注入バッファー１１０４ａには、アルカリ金属、アルカリ土類金属、希土類金属、お
よびこれらの化合物（アルカリ金属化合物（酸化リチウム等の酸化物、ハロゲン化物、炭
酸リチウムや炭酸セシウム等の炭酸塩を含む）、アルカリ土類金属化合物（酸化物、ハロ
ゲン化物、炭酸塩を含む）、または希土類金属の化合物（酸化物、ハロゲン化物、炭酸塩
を含む））等の電子注入性の高い物質を用いることが可能である。
【０１５７】
また、電子注入バッファー１１０４ａが、電子輸送性の高い物質とドナー性物質を含んで
形成される場合には、電子輸送性の高い物質に対して質量比で、０．００１以上０．１以
下の比率でドナー性物質を添加することが好ましい。なお、ドナー性物質としては、アル
カリ金属、アルカリ土類金属、希土類金属、およびこれらの化合物（アルカリ金属化合物
（酸化リチウム等の酸化物、ハロゲン化物、炭酸リチウムや炭酸セシウム等の炭酸塩を含
む）、アルカリ土類金属化合物（酸化物、ハロゲン化物、炭酸塩を含む）、または希土類
金属の化合物（酸化物、ハロゲン化物、炭酸塩を含む））の他、テトラチアナフタセン（
略称：ＴＴＮ）、ニッケロセン、デカメチルニッケロセン等の有機化合物を用いることも
できる。なお、電子輸送性の高い物質としては、先に説明したＥＬ層１１０３の一部に形
成することができる電子輸送層の材料と同様の材料を用いて形成することができる。
【０１５８】
以上のような材料を組み合わせることにより、本実施の形態に示す発光ユニットを作製す
ることができる。この発光ユニットからは、上述した発光物質からの発光が得られ、その
発光色は発光物質の種類を変えることにより選択できる。また、発光色の異なる複数の発
光物質を用いることにより、発光スペクトルの幅を拡げて、例えば白色発光を得ることも
できる。なお、白色発光を得る場合には、互いに補色となる発光色を呈する発光物質を用
いればよく、例えば補色となる発光色を呈する異なる層を備える構成等を用いることがで
きる。具体的な補色の関係としては、例えば青色と黄色、あるいは青緑色と赤色等が挙げ
られる。
【０１５９】
なお、本実施の形態は、本明細書で示す他の実施の形態と適宜組み合わせることができる
。
【０１６０】
（実施の形態５）
本実施の形態では、４００ｎｍ以上６００ｎｍ未満の波長を有する光と６００ｎｍ以上８
００ｎｍ未満の波長を有する光とを含む光を発する、一対の電極に挟持された発光性の有
機化合物を含む層を、光学距離を６００ｎｍ以上８００ｎｍ未満のＮ／２倍（Ｎは自然数
）とする一対の反射膜と半透過・半反射膜の間に設けて、明度が高く淡い色を呈する第１
の発光素子と、光学距離を６００ｎｍ以上８００ｎｍ未満のＮ／２倍（Ｎは自然数）とす
る一対の反射膜と半透過・半反射膜の間に設けて更に赤色を呈する光を透過する層を該半
透過・半反射膜に重ねて備える第２の発光素子と、光学距離を４００ｎｍ以上６００ｎｍ
未満のＮ／２倍（Ｎは自然数）とする一対の反射膜と半透過・半反射膜の間に設けて、彩
度が高く赤色とは異なる色を呈する第３の発光素子を有する構成を備える発光パネルを用
いた発光装置について図７、及び図８を参照して説明する。具体的には、アクティブマト
リクス型及びパッシブマトリクス型の発光装置について説明する。したがって、本実施の
形態において、第１の発光素子は第１の画素、第２の発光素子は第２の画素、第３の発光
素子は第３の画素と言い換えることができる。
【０１６１】
＜アクティブマトリクス型の発光装置＞
本発明の一態様の発光パネルをアクティブマトリクス型の発光装置に適用した場合の構成
を図７に示す。なお、図７（Ａ）は、発光装置の上面図、図７（Ｂ）は図７（Ａ）をＡ−
Ｂ及びＣ−Ｄで切断した断面図である。
【０１６２】
アクティブマトリクス型の発光装置１４００は、駆動回路部（ソース側駆動回路）１４０
１、画素部１４０２、駆動回路部（ゲート側駆動回路）１４０３、封止基板１４０４、シ
ール材１４０５を備える（図７（Ａ）参照）。なお、シール材１４０５で囲まれた内側は
、空間になっている。
【０１６３】
発光装置１４００は外部入力端子となるＦＰＣ（フレキシブルプリントサーキット）１４
０９を介して、ビデオ信号、クロック信号、スタート信号、リセット信号等を受け取る。
なお、ここではＦＰＣしか図示されていないが、ＦＰＣにはプリント配線基板（ＰＷＢ）
が取り付けられていても良い。本明細書における発光装置には、発光装置本体だけでなく
、それにＦＰＣ又はＰＷＢが取り付けられた状態をも含むものとする。
【０１６４】
次に、発光装置１４００の構成について図７（Ｂ）に示す断面図を用いて説明する。発光
装置１４００は、素子基板１４１０上に図示されたソース側駆動回路１４０１を含む駆動
回路部及び、図示された画素を含む画素部１４０２を備える。また、ソース側駆動回路１
４０１及びゲート側駆動回路１４０３に入力される信号を伝送するための引き回し配線１
４０８を備える。
【０１６５】
なお、本実施の形態ではソース側駆動回路１４０１がｎチャネル型ＴＦＴ１４２３とｐチ
ャネル型ＴＦＴ１４２４とを組み合わせたＣＭＯＳ回路を含む構成について例示するが、
駆動回路はこの構成に限定されず、種々のＣＭＯＳ回路、ＰＭＯＳ回路又はＮＭＯＳ回路
で構成しても良い。また、本実施の形態では、基板上に駆動回路を形成したドライバ一体
型を示すが、必ずしもその必要はなく、駆動回路を基板上ではなく外部に形成することも
できる。
【０１６６】
また、画素部１４０２は本発明の一態様の発光パネルを用いて形成されている。該発光パ
ネルはスイッチング用ＴＦＴ１４１１と、電流制御用ＴＦＴ１４１２とそのドレインに電
気的に接続された第１の電極１４１３とを含む複数の画素を有する。画素部１４０２に設
けられる発光パネルの構成としては、例えば実施の形態１で例示した構成を適用できる。
具体的には、実施の形態１で例示した発光パネルが備える発光素子のそれぞれに、スイッ
チング用のＴＦＴを設ける構成とすればよい。なお、隔壁１４１４が第１の電極１４１３
の端部を覆って形成されている。ここでは、ポジ型の感光性アクリル樹脂膜を用いること
により形成する。
【０１６７】
また、隔壁１４１４の上端部又は下端部には、曲率を有する曲面が形成されるようにする
。例えば、隔壁１４１４の材料としてポジ型の感光性アクリルを用いた場合、隔壁１４１
４の上端部のみに曲率半径（０．２μｍ〜３μｍ）を有する曲面を持たせることが好まし
い。また、隔壁１４１４として、光の照射によってエッチャントに不溶解性となるネガ型
、或いは光の照射によってエッチャントに溶解性となるポジ型のいずれも使用することが
できる。
【０１６８】
発光装置１４００は、第１の電極１４１３上に第２の電極１４１７を有し、第１の電極１
４１３と第２の電極１４１７の間に発光性の有機化合物を含む層１４１６が設けられ、発
光素子１４１８を構成している。発光素子１４１８の構成としては、例えば実施の形態１
で例示した発光パネルが備える発光素子の構成を適用できる。
【０１６９】
本実施の形態で例示する発光装置１４００は、素子基板１４１０、封止基板１４０４、及
びシール材１４０５で囲まれた空間１４０７に本発明の一態様の発光パネルが備える発光
素子１４１８を封止する構造になっている。なお、空間１４０７には、充填材が充填され
ており、不活性気体（窒素やアルゴン等）が充填される場合の他、シール材１４０５で充
填される場合もある。また、乾燥剤など不純物の吸着材を設けても良い。
【０１７０】
シール材１４０５及び封止基板１４０４は、大気中の不純物（例えば水分や酸素）をでき
るだけ透過しない材料であることが望ましい。封止基板１４０４に用いる材料としては、
ガラス基板や石英基板の他、ＦＲＰ（Ｆｉｂｅｒｇｌａｓｓ−Ｒｅｉｎｆｏｒｃｅｄ  Ｐ
ｌａｓｔｉｃｓ）、ＰＶＦ（ポリビニルフロライド）、ポリエステル又はアクリル等から
なるプラスチック基板をその例に挙げることができ、シール材１４０５には代表的にはエ
ポキシ系樹脂を用いるのが好ましい。
【０１７１】
上述した本発明の一態様のアクティブマトリクス型の発光装置は、第１の発光素子は長時
間使用しても目が疲労し難い明度が高く淡い色を呈する光を、第２の発光素子は鮮やかな
赤色を呈する光を、第３の発光素子は第１の発光素子が発する光の色及び第２の発光素子
が発する光の色のいずれの色とも異なる鮮やかな色を呈する光を発する発光パネルを構成
できる。また、第２の発光素子を除いて特定の色を呈する光を透過する層（例えばカラー
フィルタ）が設けられていないため、発光性の有機化合物を含む層が発する光を効率よく
利用できる。その結果、マルチカラーの発光が可能であって、消費電力が低減された発光
装置を提供できる。また、該発光装置を用いて、長時間使用しても目に疲労を感じにくく
、消費電力が低減された表示装置を提供できる。
【０１７２】
＜パッシブマトリクス型の発光装置＞
次に、本発明の一態様の発光パネルをパッシブマトリクス型の発光装置に適用した場合の
構成を図８に示す。なお、図８（Ａ）は、発光装置を示す斜視図、図８（Ｂ）は図８（Ａ
）をＸ−Ｙで切断した断面図である。
【０１７３】
パッシブマトリクス型の発光装置２５００は、基板２５０１上に第１の電極２５０２を備
える。また、絶縁層２５０５が第１の電極２５０２の端部を覆って設けられており、隔壁
層２５０６が絶縁層２５０５上に設けられている。
【０１７４】
発光装置２５００は、本発明の一態様の発光パネルを用いて形成されている。該発光パネ
ルは、例えば実施の形態１で例示した構成を適用できる。第１の電極２５０２上に第２の
電極２５０３を有し、第１の電極２５０２と第２の電極２５０３の間に発光性の有機化合
物を含む層２５０４が設けられ、発光素子を構成している。発光素子の構成としては、例
えば実施の形態１で例示した発光パネルが備える発光素子の構成を適用できる。
【０１７５】
隔壁層２５０６の側壁は、基板面に近くなるに伴って、一方の側壁と他方の側壁との間隔
が狭くなるような傾斜を有する。つまり、隔壁層２５０６の短辺方向の断面は、台形状で
あり、底辺（絶縁層２５０５の面方向と同様の方向を向き、絶縁層２５０５と接する辺）
の方が上辺（絶縁層２５０５の面方向と同様の方向を向き、絶縁層２５０５と接しない辺
）よりも短い。このように、隔壁層２５０６を設けることで、クロストーク等に起因した
発光素子の不良を防ぐことができる。
【０１７６】
上述した本発明の一態様のパッシブマトリクス型の発光装置は、第１の発光素子は長時間
使用しても目が疲労し難い明度が高く淡い色を呈する光を、第２の発光素子は鮮やかな赤
色を呈する光を、第３の発光素子は第１の発光素子が発する光の色及び第２の発光素子が
発する光の色のいずれの色とも異なる鮮やかな色を呈する光を発する発光パネルを構成で
きる。また、第２の発光素子を除いて特定の色を呈する光を透過する層（例えばカラーフ
ィルタ）が設けられていないため、発光性の有機化合物を含む層が発する光を効率よく利
用できる。その結果、マルチカラーの発光が可能であって、消費電力が低減された発光装
置を提供できる。また、該発光装置を用いて、長時間使用しても目に疲労を感じにくく、
消費電力が低減された表示装置を提供できる。
【０１７７】
なお、本実施の形態は、他の実施の形態と適宜組み合わせることが可能である。
【０１７８】
（実施の形態６）
本実施の形態では、本発明の一態様の発光パネルを搭載した発光装置の一例について、図
９を用いて説明する。
【０１７９】
発光装置を適用した電子機器として、例えば、テレビジョン装置（テレビ、又はテレビジ
ョン受信機ともいう）、コンピュータ用などのモニタ、デジタルカメラ、デジタルビデオ
カメラなどのカメラ、デジタルフォトフレーム、携帯電話機（携帯電話、携帯電話装置と
もいう）、携帯型ゲーム機、携帯情報端末、音響再生装置、パチンコ機などの大型ゲーム
機などが挙げられる。これらの電子機器の具体例を図９に示す。
【０１８０】
図９（Ａ）は、テレビジョン装置の一例を示している。テレビジョン装置７１００は、筐
体７１０１に表示部７１０３が組み込まれている。表示部７１０３により、映像を表示す
ることが可能であり、発光装置を表示部７１０３に用いることができる。また、ここでは
、スタンド７１０５により筐体７１０１を支持した構成を示している。
【０１８１】
テレビジョン装置７１００の操作は、筐体７１０１が備える操作スイッチや、別体のリモ
コン操作機７１１０により行うことができる。リモコン操作機７１１０が備える操作キー
７１０９により、チャンネルや音量の操作を行うことができ、表示部７１０３に表示され
る映像を操作することができる。また、リモコン操作機７１１０に、当該リモコン操作機
７１１０から出力する情報を表示する表示部７１０７を設ける構成としてもよい。
【０１８２】
なお、テレビジョン装置７１００は、受信機やモデムなどを備えた構成とする。受信機に
より一般のテレビ放送の受信を行うことができ、さらにモデムを介して有線又は無線によ
る通信ネットワークに接続することにより、一方向（送信者から受信者）又は双方向（送
信者と受信者間、あるいは受信者間同士など）の情報通信を行うことも可能である。
【０１８３】
図９（Ｂ）はコンピュータであり、本体７２０１、筐体７２０２、表示部７２０３、キー
ボード７２０４、外部接続ポート７２０５、ポインティングデバイス７２０６等を含む。
なお、コンピュータは、発光装置をその表示部７２０３に用いることにより作製される。
【０１８４】
図９（Ｃ）は携帯型遊技機であり、筐体７３０１と筐体７３０２の２つの筐体で構成され
ており、連結部７３０３により、開閉可能に連結されている。筐体７３０１には表示部７
３０４が組み込まれ、筐体７３０２には表示部７３０５が組み込まれている。また、図９
（Ｃ）に示す携帯型遊技機は、その他、スピーカ部７３０６、記録媒体挿入部７３０７、
ＬＥＤランプ７３０８、入力手段（操作キー７３０９、接続端子７３１０、センサ７３１
１（力、変位、位置、速度、加速度、角速度、回転数、距離、光、液、磁気、温度、化学
物質、音声、時間、硬度、電場、電流、電圧、電力、放射線、流量、湿度、傾度、振動、
におい又は赤外線を測定する機能を含むもの）、マイクロフォン７３１２）等を備えてい
る。もちろん、携帯型遊技機の構成は上述のものに限定されず、少なくとも表示部７３０
４および表示部７３０５の両方、又は一方に発光装置を用いていればよく、その他付属設
備が適宜設けられた構成とすることができる。図９（Ｃ）に示す携帯型遊技機は、記録媒
体に記録されているプログラム又はデータを読み出して表示部に表示する機能や、他の携
帯型遊技機と無線通信を行って情報を共有する機能を有する。なお、図９（Ｃ）に示す携
帯型遊技機が有する機能はこれに限定されず、様々な機能を有することができる。
【０１８５】
図９（Ｄ）は、携帯電話機の一例を示している。携帯電話機７４００は、筐体７４０１に
組み込まれた表示部７４０２の他、操作ボタン７４０３、外部接続ポート７４０４、スピ
ーカ７４０５、マイク７４０６などを備えている。なお、携帯電話機７４００は、発光装
置を表示部７４０２に用いることにより作製される。
【０１８６】
図９（Ｄ）に示す携帯電話機７４００は、表示部７４０２を指などで触れることで、情報
を入力することができる。また、電話を掛ける、或いはメールを作成するなどの操作は、
表示部７４０２を指などで触れることにより行うことができる。
【０１８７】
表示部７４０２の画面は主として３つのモードがある。第１は、画像の表示を主とする表
示モードであり、第２は、文字等の情報の入力を主とする入力モードである。第３は表示
モードと入力モードの２つのモードが混合した表示＋入力モードである。
【０１８８】
例えば、電話を掛ける、或いはメールを作成する場合は、表示部７４０２を文字の入力を
主とする文字入力モードとし、画面に表示させた文字の入力操作を行えばよい。この場合
、表示部７４０２の画面のほとんどにキーボード又は番号ボタンを表示させることが好ま
しい。
【０１８９】
また、携帯電話機７４００内部に、ジャイロ、加速度センサ等の傾きを検出するセンサを
有する検出装置を設けることで、携帯電話機７４００の向き（縦か横か）を判断して、表
示部７４０２の画面表示を自動的に切り替えるようにすることができる。
【０１９０】
また、画面モードの切り替えは、表示部７４０２を触れること、又は筐体７４０１の操作
ボタン７４０３の操作により行われる。また、表示部７４０２に表示される画像の種類に
よって切り替えるようにすることもできる。例えば、表示部に表示する画像信号が動画の
データであれば表示モード、テキストデータであれば入力モードに切り替える。
【０１９１】
また、入力モードにおいて、表示部７４０２の光センサで検出される信号を検知し、表示
部７４０２のタッチ操作による入力が一定期間ない場合には、画面のモードを入力モード
から表示モードに切り替えるように制御してもよい。
【０１９２】
表示部７４０２は、イメージセンサとして機能させることもできる。例えば、表示部７４
０２に掌や指で触れ、掌紋、指紋等を撮像することで、本人認証を行うことができる。ま
た、表示部に近赤外光を発光するバックライト又は近赤外光を発光するセンシング用光源
を用いれば、指静脈、掌静脈などを撮像することもできる。
【０１９３】
図９（Ｅ）は、照明装置の一例を示している。照明装置７５００は、筐体７５０１に光源
として本発明の一態様の発光装置７５０３ａ〜７５０３ｄが組み込まれている。照明装置
７５００は、天井や壁等に取り付けることが可能である。
【０１９４】
また、本発明の一態様の発光装置は、発光パネルが薄膜状であるため、曲面を有する基体
に貼り付けることで、曲面を有する発光装置とすることができる。また、その発光装置を
、曲面を有する筐体に配置することで、曲面を有する電子機器または照明装置を実現する
ことができる。
【０１９５】
また、長時間使用しても目が疲労し難い明度が高く淡い色を呈する光と、鮮やかな赤色と
、異なる鮮やかな色を呈する光を発する発光パネルを備える。発光素子を駆動する条件を
発光色ごとに調整することで、使用者が色相を調節できる照明装置を実現できる。
【０１９６】
上述した本発明の一態様の発光装置は、第１の発光素子は長時間使用しても目が疲労し難
い明度が高く淡い色を呈する光を、第２の発光素子は鮮やかな赤色を呈する光を、第３の
発光素子は第１の発光素子が発する光の色及び第２の発光素子が発する光の色のいずれの
色とも異なる鮮やかな色を呈する光を発する発光パネルを構成できる。また、第２の発光
素子を除いて特定の色を呈する光を透過する層（例えばカラーフィルタ）が設けられてい
ないため、発光性の有機化合物を含む層が発する光を効率よく利用できる。その結果、マ
ルチカラーの発光が可能であって、消費電力が低減された発光装置を提供できる。
【０１９７】
なお、本実施の形態は、本明細書で示す他の実施の形態と適宜組み合わせることができる
。
【０１９８】
（実施の形態７）
本実施の形態では、本発明の一態様の発光パネルを搭載した発光装置の一例について、図
１０を用いて説明する。具体的には照明に用いる発光装置（照明装置または照明器具）に
ついて説明する。
【０１９９】
本発明の一態様では、発光部が曲面を有する照明装置を実現することもできる。
【０２００】
本発明の一態様は、自動車の照明にも適用することができ、例えば、ダッシュボードや、
天井等に照明を容易に設置することもできる。
【０２０１】
図１０（Ａ）では、本発明の一態様を適用した、室内の天井に設ける照明装置９０１、壁
面に設ける照明装置９０４及び卓上照明器具９０３を示す。発光装置は大面積化も可能で
あるため、大面積の照明装置として用いることができる。
【０２０２】
図１０（Ｂ）に別の照明装置の例を示す。図１０（Ｂ）に示す卓上照明装置は、照明部９
５０１、支柱９５０３、支持台９５０５等を含む。照明部９５０１は、本発明の一態様の
発光パネルを含む。このように、本発明の一態様では、曲面を有する照明装置を実現する
ことができる。
【実施例】
【０２０３】
本発明の一態様の発光パネルに用いることができる発光素子の構成、作製方法および特性
の測定結果について説明する。
【０２０４】
本実施例で作製した発光パネルが備える四つの発光素子の構成を図１１、表１を用いて説
明する。
【０２０５】
＜発光素子の構成＞
図１１（Ａ）に四つの発光素子の構成を示す。第１の発光素子５１０は、反射膜５１１ａ
と半透過・半反射膜５１２の間に光学調整層５１３ａを有する。光学調整層５１３ａは一
対の電極の一方を、半透過・半反射膜５１２は一対の電極の他方を兼ねる。また、光学調
整層５１３ａと半透過・半反射膜５１２の間に発光性の有機化合物を含む層５０３を備え
る。
【０２０６】
第２の発光素子５２０は、反射膜５１１ｂと半透過・半反射膜５１２の間に光学調整層５
１３ｂを有する。光学調整層５１３ｂは一対の電極の一方を、半透過・半反射膜５１２は
一対の電極の他方を兼ねる。また、光学調整層５１３ｂと半透過・半反射膜５１２の間に
発光性の有機化合物を含む層５０３を備える。更に赤色を呈する光を透過する層を該半透
過・半反射膜に重ねて備える。
【０２０７】
第３の発光素子５３０は、反射膜５１１ｃと半透過・半反射膜５１２の間に光学調整層５
１３ｃを有する。光学調整層５１３ｃは一対の電極の一方を、半透過・半反射膜５１２は
一対の電極の他方を兼ねる。また、光学調整層５１３ｃと半透過・半反射膜５１２の間に
発光性の有機化合物を含む層５０３を備える。
【０２０８】
第４の発光素子５４０は、反射膜５１１ｄと半透過・半反射膜５１２の間に有機化合物を
含む層５０３を有する。有機化合物を含む層５０３は光学調整層を兼ね、反射膜５１１ｄ
は一対の電極の一方を、半透過・半反射膜５１２は一対の電極の他方を兼ねる。
【０２０９】
第１の発光素子５１０、第２の発光素子５２０または第３の発光素子５３０が備える一対
の電極の一方を兼ねる光学調整層は、いずれも珪素を含むインジウム錫酸化物（ＩＴＳＯ
）を用いた。光学調整層５１３ａ及び光学調整層５１３ｂの厚さはいずれも７０ｎｍ、光
学調整層５１３ｃの厚さは３０ｎｍとした。なお、本実施例において、例えば、第１の発
光素子５１０の光学距離は反射膜５１１ａと半透過・半反射膜５１２の間（矢印５５１で
示す）に由来するものであり、第４の発光素子５４０の光学距離は反射膜５１１ｄと半透
過・半反射膜５１２の間（矢印５５３で示す）に由来するものである。
【０２１０】
＜発光性の有機化合物を含む層の構成＞
図１１（Ｂ）に発光性の有機化合物を含む層の構成を示す。発光性の有機化合物を含む層
５０３は、中間層（１５０４）を挟んで２つのＥＬ層（第１のＥＬ層１５０３ａと第２の
ＥＬ層１５０３ｂ）が設けられた構造（タンデム構造ともいう）を備える。なお、第１の
ＥＬ層１５０３ａ、第２のＥＬ層１５０３および中間層（１５０４）は反射膜５１１と半
透過・半反射膜５１２との間に設けられている。
【０２１１】
第１のＥＬ層１５０３ａは、一対の電極の一方を兼ねる導電膜上に正孔注入層１５１１、
第１の正孔輸送層１５１２、第１の発光層１５１３、第１の電子輸送層１５１４ａ、及び
第２の電子輸送層１５１４ｂをこの順に備える。
【０２１２】
中間層１５０４は、電子輸送層１５１４ｂ上に、電子注入バッファー１５０４ａ、電子リ
レー層１５０４ｂ、及び電荷発生領域１５０４ｃをこの順に備える。
【０２１３】
第２のＥＬ層１５０３ｂは、中間層１５０４上に、第２の正孔輸送層１５２２、第２の発
光層１５２３ａ、第３の発光層１５２３ｂ、第３の電子輸送層１５２４ａ、第４の電子輸
送層１５２４ｂ、及び電子注入層１５２５をこの順に備える。
【０２１４】
上記のＥＬ層を構成する材料の詳細を表１に示す。
【０２１５】
【表１】
2020024933.tif 000003
【０２１６】
また、本実施例で用いる一部の有機化合物の構造式を以下に示す。
【０２１７】
【化１】
2020024933.tif 000004
【０２１８】
【化２】
2020024933.tif 000005
【０２１９】
（発光パネルの作製）
次に、発光パネル５５０の作製方法について説明する。
【０２２０】
まず、ガラス基板１１００上にスパッタリング法を用いて反射膜を形成した。本実施の形
態では、アルミニウム−チタン合金膜２００ｎｍとその上にチタン膜６ｎｍを積層した積
層膜を反射膜に用いた。
【０２２１】
次に、該積層膜上に光学調整層となる酸化珪素を含むインジウムスズ酸化物（略称：ＩＴ
ＳＯ）膜を７０ｎｍの膜厚となるようにスパッタリング法にて成膜した。
【０２２２】
次に、後に第１の発光素子５１０及び第２の発光素子５２０となる領域に重ねてレジスト
マスクを形成して保護することにより、ＩＴＳＯ膜の膜厚を７０ｎｍに保った。次いで、
第３の発光素子５３０と第４の発光素子５４０となる領域のＩＴＳＯ膜の膜厚をエッチン
グにより３０ｎｍとした後に、第３の発光素子５３０となる領域に重ねてレジストマスク
形成して保護した。次いで、第４の発光素子５４０となる領域のＩＴＳＯ膜をエッチング
により消失させた。
【０２２３】
次いで、反射膜とＩＴＳＯ膜を別のレジストマスクを用いてエッチングして、第１の発光
素子乃至第４の発光素子の一対の電極の一方を形成した。
【０２２４】
それぞれの一対の電極の一方の表面に開口部を有する隔壁を形成し、電極面積を２ｍｍ×
２ｍｍとした。
【０２２５】
次に、反射膜が形成された面を下方に向けて、ガラス基板１１００を真空蒸着装置内に設
けられた基板ホルダーに固定し、１０−４Ｐａ程度まで減圧した。
【０２２６】
次に、正孔注入層１５１１を一対の電極の一方を兼ねる導電膜上に形成した。正孔注入層
１５１１は９−フェニル−３−［４−（１０−フェニル−９−アントリル）フェニル］−
９Ｈ−カルバゾール（略称：ＰＣｚＰＡ）と酸化モリブデン（ＶＩ）とを共蒸着すること
により、有機化合物と無機化合物とを複合してなる複合材料を含む層を用いた。複合材料
を含む層の膜厚は３０ｎｍとし、ＰＣｚＰＡと酸化モリブデンの比率は、重量比で２：１
（＝ＰＣｚＰＡ：酸化モリブデン）となるように調節した。なお、共蒸着法とは、一つの
処理室内で複数の蒸発源を用いて、複数の材料を同時に蒸着する方法を指す。
【０２２７】
次に、正孔輸送層１５１２を正孔注入層１５１１上に形成した。正孔輸送層１５１２は抵
抗加熱を用いた蒸着法により、ＰＣｚＰＡを２０ｎｍの膜厚となるように成膜した。
【０２２８】
次に、第１の発光層１５１３を正孔輸送層１５１２上に形成した。第１の発光層１５１３
は９−［４−（１０−フェニル−９−アントリル）フェニル］−９Ｈ−カルバゾール（略
称ＣｚＰＡ）及びＮ，Ｎ’−ビス（３−メチルフェニル）−Ｎ，Ｎ’−ビス〔３−（９−
フェニル−９Ｈ−フルオレン−９−イル）フェニル〕−ピレン−１，６−ジアミン（略称
１，６ｍＭｅｍＦＬＰＡＰｒｎ）を３０ｎｍの膜厚となるように共蒸着して形成した。Ｃ
ｚＰＡ及び１，６ｍＭｅｍＦＬＰＡＰｒｎの重量比は、１：０．０５（＝ＣｚＰＡ：１，
６ｍＭｅｍＦＬＰＡＰｒｎ）となるように蒸着レートを調整した。
【０２２９】
次に、電子輸送層を第１の発光層１５１３上に形成した。電子輸送層は、第１の電子輸送
層１５１４ａと第２の電子輸送層１５１４ｂからなる。なお、第１の電子輸送層１５１４
ａとしてＣｚＰＡを５ｎｍ、その上に第２の電子輸送層１５１４ｂとしてバソフェナント
ロリン（略称：ＢＰｈｅｎ）を１５ｎｍの膜厚となるように成膜した。
【０２３０】
次に、電子注入バッファー１５０４ａを電子輸送層１５１４上に形成した。電子注入バッ
ファー１５０４ａは、カルシウムを１ｎｍの膜厚となるように成膜した。
【０２３１】
次に、電子リレー層１５０４ｂを電子注入バッファー１５０４ａ上に形成した。電子リレ
ー層１５０４ｂは、銅（ＩＩ）フタロシアニン（略称：ＣｕＰｃ）を２ｎｍの膜厚となる
ように成膜した。
【０２３２】
次に、電荷発生領域１５０４ｃを電子リレー層１５０４ｂ上に形成した。電荷発生領域１
５０４ｃは、ＰＣｚＰＡと酸化モリブデン（ＶＩ）とを共蒸着することにより、有機化合
物と無機化合物とを複合してなる複合材料を含む層を用いた。複合材料を含む層の膜厚は
３０ｎｍとし、ＰＣｚＰＡと酸化モリブデンの比率は、重量比で２：１（＝ＰＣｚＰＡ：
酸化モリブデン）となるように調節した。
【０２３３】
次に、正孔輸送層１５２２を電荷発生領域１５０４ｃ上に形成した。正孔輸送層１５２２
は抵抗加熱を用いた蒸着法により、４−フェニル−４’−（９−フェニルフルオレン−９
−イル）トリフェニルアミン（略称：ＢＰＡＦＬＰ）を２０ｎｍの膜厚となるように成膜
した。
【０２３４】
次に、第２の発光層１５２３ａを正孔輸送層１５２２上に形成した。第２の発光層１５２
３ａは２−［３−（ジベンゾチオフェン−４−イル）フェニル］ジベンゾ［ｆ，ｈ］キノ
キサリン（略称２ｍＤＢＴＰＤＢｑ−ＩＩ）、４−フェニル−４’−（９−フェニル−９
Ｈ−カルバゾール−３−イル）トリフェニルアミン（略称ＰＣＢＡ１ＢＰ）及び（アセチ
ルアセトナト）ビス（６−メチル−４−フェニルピリミジナト）イリジウム（ＩＩＩ）（
略称：Ｉｒ（ｍｐｐｍ）２ａｃａｃ）を２０ｎｍの膜厚となるように共蒸着して形成した
。２ｍＤＢＴＰＤＢｑ−ＩＩ、ＰＣＢＡ１ＢＰ及びＩｒ（ｍｐｐｍ）２ａｃａｃの重量比
は、０．８：０．２：０．０６（＝２ｍＤＢＴＰＤＢｑ−ＩＩ：ＰＣＢＡ１ＢＰ：Ｉｒ（
ｍｐｐｍ）２ａｃａｃ）となるように蒸着レートを調整した。
【０２３５】
次に、第３の発光層１５２３ｂを第２の発光層１５２３ａ上に形成した。第３の発光層１
５２３ｂは２ｍＤＢＴＰＤＢｑ−ＩＩ及び（ジピバロイルメタナト）ビス（２，３，５−
トリフェニルピラジナト）イリジウム（ＩＩＩ）（略称Ｉｒ（ｔｐｐｒ）２ｄｐｍ）を２
０ｎｍの膜厚となるように共蒸着して形成した。２ｍＤＢＴＰＤＢｑ−ＩＩ及びＩｒ（ｔ
ｐｐｒ）２ｄｐｍの重量比は、１：０．０２（＝２ｍＤＢＴＰＤＢｑ−ＩＩ：Ｉｒ（ｔｐ
ｐｒ）２ｄｐｍ）となるように蒸着レートを調整した。
【０２３６】
次に、電子輸送層を第３の発光層１５２３ｂ上に形成した。電子輸送層は、第３の電子輸
送層１５２４ａと第４の電子輸送層１５２４ｂからなる。なお、第３の電子輸送層１５２
４ａとして２ｍＤＢＴＰＤＢｑ−ＩＩを１５ｎｍ、その上に第４の電子輸送層１５２４ｂ
としてＢＰｈｅｎを１５ｎｍの膜厚となるように成膜した。
【０２３７】
次に、電子注入層１５２５を第４の電子輸送層１５２４ｂ上に形成した。電子注入層１５
２５としてフッ化リチウム（ＬｉＦ）を、１ｎｍの膜厚となるように蒸着した。
【０２３８】
最後に、一対の電極の他方を兼ねる半透過・半反射膜５１２を電子注入層１５２５上に形
成した。一対の電極の他方を兼ねる半透過・半反射膜５１２は、抵抗加熱を用いた蒸着法
により、銀（Ａｇ）及びマグネシウム（Ｍｇ）を１０ｎｍの膜厚となるように共蒸着し、
さらにインジウム錫酸化物（略称：ＩＴＯ）を５０ｎｍの膜厚となるようにスパッタリン
グ法を用いて形成して、第１の発光素子５１０乃至第４の発光素子５４０を作製した。Ａ
ｇとＭｇの体積比は、１０：１（＝Ａｇ：Ｍｇ）となるように蒸着レートを調整した。
【０２３９】
以上により得られた第１の発光素子５１０乃至第４の発光素子５４０を大気に曝さないよ
うに窒素雰囲気のグローブボックス内において封止した。なお、第２の発光素子の半透過
・半反射膜と重なる位置に赤色を呈する光を透過する層５１５を設けた。
【０２４０】
次いで、この第１の発光素子５１０乃至第４の発光素子５４０の動作特性について測定を
行った結果を示す。なお、測定は室温（２５℃に保たれた雰囲気）で行った。
【０２４１】
（評価結果）
第１の発光素子５１０乃至第４の発光素子５４０のそれぞれに、電流を流したときの発光
スペクトルを図１２に、色度を図１３に、また、輝度−電流効率特性を図１４に示す。
【０２４２】
第１の発光素子は、輝度９１９ｃｄ／ｍ２のときのＣＩＥ色度座標は（ｘ＝０．４５、ｙ
＝０．４０）であり、淡白色の発光を示した。また、輝度９１９ｃｄ／ｍ２のときの電流
効率は４１．９ｃｄ／Ａであり、電圧は６．０Ｖ、電流密度は２．２ｍＡ／ｃｍ２であっ
た。
【０２４３】
第２の発光素子は、輝度１０１０ｃｄ／ｍ２のときのＣＩＥ色度座標は（ｘ＝０．６７、
ｙ＝０．３３）であり、赤色の発光を示した。また、輝度１０１０ｃｄ／ｍ２のときの電
流効率は７．１ｃｄ／Ａであり、電圧は７．０Ｖ、電流密度は１４．２ｍＡ／ｃｍ２であ
った。
【０２４４】
第３の発光素子は、輝度１２４５ｃｄ／ｍ２のときのＣＩＥ色度座標は（ｘ＝０．３４、
ｙ＝０．６１）であり、緑色の発光を示した。また、輝度１２４５ｃｄ／ｍ２のときの電
流効率は６１．８ｃｄ／Ａであり、電圧は６．０Ｖ、電流密度は２．０ｍＡ／ｃｍ２であ
った。
【０２４５】
第４の発光素子は、輝度１１６２ｃｄ／ｍ２のときのＣＩＥ色度座標は（ｘ＝０．１６、
ｙ＝０．２０）であり、青色の発光を示した。また、輝度１１６２ｃｄ／ｍ２のときの電
流効率は１１．６ｃｄ／Ａであり、電圧は７．４Ｖ、電流密度は１０．０ｍＡ／ｃｍ２で
あった。
【０２４６】
上記本実施例で作製した第１の発光素子乃至第４の発光素子の測定結果から、第１の発光
素子は、一対の反射膜と半透過・半反射膜の間で強調された６００ｎｍ以上８００ｎｍ未
満の波長を有する光と、４００ｎｍ以上６００ｎｍ未満の波長を有する光とを含む混合光
を発することが示された。また、第２の発光素子は、該混合光から赤色を呈する光を透過
する層を介して取り出される赤色光を発することが示された。また、第３の発光素子は一
対の反射膜と半透過・半反射膜の間で強調された５００ｎｍ以上６００ｎｍ未満の波長を
有する光を発することが示された。また、第４の発光素子は、一対の反射膜と半透過・半
反射膜の間で強調された４００ｎｍ以上５００ｎｍ未満の波長を有する光を発することが
示された。
【０２４７】
これにより、第１の発光素子は長時間使用しても目が疲労し難い明度が高く淡い色を呈す
る光を、第２の発光素子は鮮やかな赤色を呈する光を、第３の発光素子は緑色を呈する光
を、第４の発光素子は青色を呈する光を発する発光パネルを構成できる。また、第２の発
光素子の他には特定の色を呈する光を透過する層が設けられていないため、発光性の有機
化合物を含む層が発する光を効率よく利用できる。その結果、鮮やかなフルカラーの発光
が可能であって、消費電力が低減された発光パネルを提供できる。
【０２４８】
（参考例）
本参考例では、実施例で用いた材料について説明する。
【０２４９】
＜１，６ｍＭｅｍＦＬＰＡＰｒｎの合成例＞
Ｎ’−ビス（３−メチルフェニル）−Ｎ，Ｎ’−ビス〔３−（９−フェニル−９Ｈ−フル
オレン−９−イル）フェニル〕−ピレン−１，６−ジアミン（略称：１，６ｍＭｅｍＦＬ
ＰＡＰｒｎ）を合成する例を示す。
【０２５０】
［ステップ１：３−メチルフェニル−３−（９−フェニル−９Ｈ−フルオレン−９−イル
）フェニルアミン（略称：ｍＭｅｍＦＬＰＡ）の合成法］
【０２５１】
９−（３−ブロモフェニル）−９−フェニルフルオレン３．２ｇ（８．１ｍｍｏｌ）、ナ
トリウム  ｔｅｒｔ−ブトキシド２．３ｇ（２４．１ｍｍｏｌ）を２００ｍＬ三口フラス
コに入れ、フラスコ内を窒素置換した。この混合物にトルエン４０．０ｍＬ、ｍ−トルイ
ジン０．９ｍＬ（８．３ｍｍｏｌ）、トリ（ｔｅｒｔ−ブチル）ホスフィンの１０％ヘキ
サン溶液０．２ｍＬを加えた。この混合物を６０℃にし、ビス（ジベンジリデンアセトン
）パラジウム（０）４４．５ｍｇ（０．１ｍｍｏｌ）を加え、この混合物を８０℃にして
２．０時間攪拌した。攪拌後、フロリジール（和光純薬工業株式会社、カタログ番号：５
４０−００１３５）、セライト（和光純薬工業株式会社、カタログ番号：５３１−１６８
５５）、アルミナを通して吸引濾過し、濾液を得た。得られた濾液を濃縮し得た固体を、
シリカゲルカラムクロマトグラフィー（展開溶媒はヘキサン：トルエン＝１：１）により
精製し、トルエンとヘキサンの混合溶媒で再結晶し、目的の白色固体２．８ｇを、収率８
２％で得た。上記ステップ１の合成スキームを下記（Ｊ−１）に示す。
【０２５２】
【化３】
2020024933.tif 000006
【０２５３】
［ステップ２：Ｎ，Ｎ’−ビス（３−メチルフェニル）−Ｎ，Ｎ’−ビス〔３−（９−フ
ェニル−９Ｈ−フルオレン−９−イル）フェニル〕−ピレン−１，６−ジアミン（略称：
１，６ｍＭｅｍＦＬＰＡＰｒｎ）の合成法］
【０２５４】
１，６−ジブロモピレン０．６ｇ（１．７ｍｍｏｌ）、３−メチルフェニル−３−（９−
フェニル−９Ｈ−フルオレン−９−イル）フェニルアミン１．４ｇ（３．４ｍｍｏｌ）、
ナトリウム  ｔｅｒｔ−ブトキシド０．５ｇ（５．１ｍｍｏｌ）を１００ｍＬ三口フラス
コに入れ、フラスコ内を窒素置換した。この混合物にトルエン２１．０ｍＬ、トリ（ｔｅ
ｒｔ−ブチル）ホスフィンの１０％ヘキサン溶液０．２ｍＬを加えた。この混合物を６０
℃にし、ビス（ジベンジリデンアセトン）パラジウム（０）３４．９ｍｇ（０．１ｍｍｏ
ｌ）を加え、この混合物を８０℃にして３．０時間攪拌した。攪拌後、トルエンを４００
ｍＬ加えて加熱し、熱いまま、フロリジール（和光純薬工業株式会社、カタログ番号：５
４０−００１３５）、セライト（和光純薬工業株式会社、カタログ番号：５３１−１６８
５５）、アルミナを通して吸引濾過し、濾液を得た。得られた濾液を濃縮し得た固体を、
シリカゲルカラムクロマトグラフィー（展開溶媒はヘキサン：トルエン＝３：２）により
精製し、黄色固体を得た。得られた黄色固体をトルエンとヘキサンの混合溶媒で再結晶し
、目的の黄色固体を１．２ｇ、収率６７％で得た。
【０２５５】
得られた黄色固体１．０ｇを、トレインサブリメーション法により昇華精製した。昇華精
製条件は、圧力２．２Ｐａ、アルゴンガスを流量５．０ｍＬ／ｍｉｎで流しながら、３１
７℃で黄色固体を加熱した。昇華精製後、目的物の黄色固体１．０ｇを、収率９３％で得
た。上記ステップ２の合成スキームを下記（Ｊ−２）に示す。
【０２５６】
【化４】
2020024933.tif 000007
【０２５７】
核磁気共鳴法（ＮＭＲ）によって、この化合物が目的物であるＮ，Ｎ’−ビス（３−メチ
ルフェニル）−Ｎ，Ｎ’−ビス〔３−（９−フェニル−９Ｈ−フルオレン−９−イル）フ
ェニル〕−ピレン−１，６−ジアミン（略称：１，６ｍＭｅｍＦＬＰＡＰｒｎ）であるこ
とを確認した。
【０２５８】
得られた化合物の１Ｈ  ＮＭＲデータを以下に示す。１Ｈ  ＮＭＲ（ＣＤＣｌ３，３００
ＭＨｚ）：δ＝２．２１（ｓ，６Ｈ）、６．６７（ｄ，Ｊ＝７．２Ｈｚ，２Ｈ）、６．７
４（ｄ，Ｊ＝７．２Ｈｚ，２Ｈ）、７．１７−７．２３（ｍ，３４Ｈ）、７．６２（ｄ，
Ｊ＝７．８Ｈｚ，４Ｈ）、７．７４（ｄ，Ｊ＝７．８Ｈｚ，２Ｈ）、７．８６（ｄ，Ｊ＝
９．０Ｈｚ，２Ｈ）、８．０４（ｄ，Ｊ＝８．７Ｈｚ，４Ｈ）
【０２５９】
＜２ｍＤＢＴＰＤＢｑ−ＩＩの合成例＞
２−［３−（ジベンゾチオフェン−４−イル）フェニル］ジベンゾ［ｆ，ｈ］キノキサリ
ン（略称：２ｍＤＢＴＰＤＢｑ−ＩＩ）を合成する例を示す。
【０２６０】
［２ｍＤＢＴＰＤＢｑ−ＩＩの合成］
２ｍＤＢＴＰＤＢｑ−ＩＩの合成スキームを（Ｃ−１）に示す。
【０２６１】
【化５】
2020024933.tif 000008
【０２６２】
２Ｌ三口フラスコに２−クロロジベンゾ［ｆ，ｈ］キノキサリン５．３ｇ（２０ｍｍｏｌ
）、３−（ジベンゾチオフェン−４−イル）フェニルボロン酸６．１ｇ（２０ｍｍｏｌ）
、テトラキス（トリフェニルホスフィン）パラジウム（０）４６０ｍｇ（０．４ｍｍｏｌ
）、トルエン３００ｍＬ、エタノール２０ｍＬ、２Ｍの炭酸カリウム水溶液２０ｍＬを加
えた。この混合物を、減圧下で攪拌することで脱気し、フラスコ内を窒素置換した。この
混合物を窒素気流下、１００℃で７．５時間攪拌した。室温まで冷ました後、得られた混
合物を濾過して白色の濾物を得た。得られた濾物を水、エタノールの順で洗浄した後、乾
燥させた。得られた固体を約６００ｍＬの熱トルエンに溶かし、セライト（和光純薬工業
株式会社、カタログ番号：５３１−１６８５５）、フロリジール（和光純薬工業株式会社
、カタログ番号：５４０−００１３５）を通して吸引濾過し、無色透明の濾液を得た。得
られた濾液を濃縮し、シリカゲルカラムクロマトグラフィーで精製した。クロマトグラフ
ィーは、熱トルエンを展開溶媒に用いて行った。ここで得られた固体にアセトンとエタノ
ールを加えて超音波を照射した後、生じた懸濁物を濾取して乾燥させたところ、目的物の
白色粉末を収量７．８５ｇ、収率８０％で得た。
【０２６３】
上記目的物は、熱トルエンには比較的可溶であったが、冷めると析出しやすい材料であっ
た。また、アセトン、エタノールなど他の有機溶剤には難溶であった。そのため、この溶
解性の差を利用して、上記の様に、簡便な方法で収率よく合成することができた。具体的
には、反応終了後、室温に戻して析出させた固体を濾取することで、大部分の不純物を簡
便に除くことができた。また、熱トルエンを展開溶媒とした、カラムクロマトグラフィー
により、析出しやすい目的物も簡便に精製することができた。
【０２６４】
得られた白色粉末４．０ｇをトレインサブリメーション法により昇華精製した。昇華精製
は、圧力５．０Ｐａ、アルゴン流量５ｍＬ／ｍｉｎの条件で、白色粉末を３００℃で加熱
して行った。昇華精製後、目的物の白色粉末を３．５ｇ、収率８８％で得た。
【０２６５】
核磁気共鳴法（ＮＭＲ）によって、この化合物が目的物である２−［３−（ジベンゾチオ
フェン−４−イル）フェニル］ジベンゾ［ｆ，ｈ］キノキサリン（略称：２ｍＤＢＴＰＤ
Ｂｑ−ＩＩ）であることを確認した。
【０２６６】
得られた物質の１Ｈ  ＮＭＲデータを以下に示す。１Ｈ  ＮＭＲ（ＣＤＣｌ３，３００Ｍ
Ｈｚ）：δ（ｐｐｍ）＝７．４５−７．５２（ｍ，２Ｈ），７．５９−７．６５（ｍ，２
Ｈ），７．７１−７．９１（ｍ，７Ｈ），８．２０−８．２５（ｍ，２Ｈ），８．４１（
ｄ，Ｊ＝７．８Ｈｚ，１Ｈ），８．６５（ｄ，Ｊ＝７．５Ｈｚ，２Ｈ），８．７７−８．
７８（ｍ，１Ｈ），９．２３（ｄｄ，Ｊ＝７．２Ｈｚ，１．５Ｈｚ，１Ｈ），９．４２（
ｄｄ，Ｊ＝７．８Ｈｚ，１．５Ｈｚ，１Ｈ），９．４８（ｓ，１Ｈ）。
【０２６７】
＜［Ｉｒ（ｍｐｐｍ）２（ａｃａｃ）］の合成例＞
（アセチルアセトナト）ビス（６−メチル−４−フェニルピリミジナト）イリジウム（Ｉ
ＩＩ）（略称：［Ｉｒ（ｍｐｐｍ）２（ａｃａｃ）］）を合成する例を示す。
【０２６８】
［ステップ１；４−メチル−６−フェニルピリミジン（略称：Ｈｍｐｐｍ）の合成］
まず、４−クロロ−６−メチルピリミジン４．９０ｇとフェニルボロン酸４．８０ｇ、炭
酸ナトリウム４．０３ｇ、ビス（トリフェニルホスフィン）パラジウム（ＩＩ）ジクロリ
ド（略称：Ｐｄ（ＰＰｈ３）２Ｃｌ２）０．１６ｇ、水２０ｍＬ、アセトニトリル１０ｍ
Ｌを、還流管を付けたナスフラスコに入れ、内部をアルゴン置換した。この反応容器にマ
イクロ波（２．４５ＧＨｚ  １００Ｗ）を６０分間照射することで加熱した。ここでさら
にフェニルボロン酸２．２８ｇ、炭酸ナトリウム２．０２ｇ、Ｐｄ（ＰＰｈ３）２Ｃｌ２
０．０８２ｇ、水５ｍＬ、アセトニトリル１０ｍＬをフラスコに入れ、再度マイクロ波（
２．４５ＧＨｚ  １００Ｗ）を６０分間照射することで加熱した。その後この溶液に水を
加え、ジクロロメタンにて抽出した。得られた抽出液を飽和炭酸ナトリウム水溶液、水、
次いで飽和食塩水で洗浄し、硫酸マグネシウムにて乾燥した。乾燥した後の溶液を濾過し
た。この溶液の溶媒を留去した後、得られた残渣を、ジクロロメタン：酢酸エチル＝９：
１（体積比）を展開溶媒とするシリカゲルカラムクロマトグラフィーで精製し、目的のピ
リミジン誘導体Ｈｍｐｐｍを得た（橙色油状物、収率４６％）。なお、マイクロ波の照射
はマイクロ波合成装置（ＣＥＭ社製  Ｄｉｓｃｏｖｅｒ）を用いた。以下にステップ１の
合成スキーム（ｂ−１）を示す。
【０２６９】
【化６】
2020024933.tif 000009
【０２７０】
［ステップ２；ジ−μ−クロロ−ビス［ビス（６−メチル−４−フェニルピリミジナト）
イリジウム（ＩＩＩ）］（略称：［Ｉｒ（ｍｐｐｍ）２Ｃｌ］２）の合成］
次に、２−エトキシエタノール１５ｍＬと水５ｍＬ、上記ステップ１で得たＨｍｐｐｍ１
．５１ｇ、塩化イリジウム水和物（ＩｒＣｌ３・Ｈ２Ｏ）１．２６ｇを、還流管を付けた
ナスフラスコに入れ、ナスフラスコ内をアルゴン置換した。その後、マイクロ波（２．４
５ＧＨｚ  １００Ｗ）を１時間照射し、反応させた。溶媒を留去した後、得られた残渣を
エタノールで洗浄し、濾過することにより複核錯体［Ｉｒ（ｍｐｐｍ）２Ｃｌ］２を得た
（暗緑色粉末、収率７７％）。以下にステップ２の合成スキーム（ｂ−２）を示す。
【０２７１】
【化７】
2020024933.tif 000010
【０２７２】
［ステップ３；（アセチルアセトナト）ビス（６−メチル−４−フェニルピリミジナト）
イリジウム（ＩＩＩ）（略称：［Ｉｒ（ｍｐｐｍ）２（ａｃａｃ）］）の合成］
さらに、２−エトキシエタノール４０ｍＬ、上記ステップ２で得た複核錯体［Ｉｒ（ｍｐ
ｐｍ）２Ｃｌ］２１．８４ｇ、アセチルアセトン０．４８ｇ、炭酸ナトリウム１．７３ｇ
を、還流管を付けたナスフラスコに入れ、ナスフラスコ内をアルゴン置換した。その後、
マイクロ波（２．４５ＧＨｚ  １００Ｗ）を６０分間照射し、反応させた。溶媒を留去し
、得られた残渣をジクロロメタンに溶解して濾過し、不溶物を除去した。得られた濾液を
水、次いで飽和食塩水で洗浄し、硫酸マグネシウムにて乾燥した。乾燥した後の溶液を濾
過した。この溶液の溶媒を留去した後、得られた残渣を、ジクロロメタン：酢酸エチル＝
４：１（体積比）を展開溶媒とするシリカゲルカラムクロマトグラフィーで精製した。そ
の後、ジクロロメタンとヘキサンの混合溶媒にて再結晶化することにより、目的物を黄色
粉末として得た（収率４４％）。以下にステップ３の合成スキーム（ｂ−３）を示す。
【０２７３】
【化８】
2020024933.tif 000011
【０２７４】
上記ステップ３で得られた黄色粉末の核磁気共鳴分光法（１Ｈ−ＮＭＲ）による分析結果
を下記に示す。この結果から、この化合物が目的物である（アセチルアセトナト）ビス（
６−メチル−４−フェニルピリミジナト）イリジウム（ＩＩＩ）（略称：［Ｉｒ（ｍｐｐ
ｍ）２（ａｃａｃ）］）が得られたことがわかった。
【０２７５】
１Ｈ−ＮＭＲ．δ（ＣＤＣｌ３）：１．７８（ｓ，６Ｈ），２．８１（ｓ，６Ｈ），５．
２４（ｓ，１Ｈ），６．３７（ｄ，２Ｈ），６．７７（ｔ，２Ｈ），６．８５（ｔ，２Ｈ
），７．６１−７．６３（ｍ，４Ｈ），８．９７（ｓ，２Ｈ）．
【符号の説明】
【０２７６】
１０１ａ    第１の電極
１０１ｂ    第１の電極
１０１ｃ    第１の電極
１０２    第２の電極
１０３    発光性の有機化合物を含む層
１１０    発光素子
１１１ａ    反射膜
１１１ｂ    反射膜
１１１ｃ    反射膜
１１２    半透過・半反射膜
１１３ａ    光学調整層
１１３ｂ    光学調整層
１１３ｃ    光学調整層
１１５    赤色を呈する光を透過する層
１２０    発光素子
１３０    発光素子
１５０    発光パネル
２０３    発光性の有機化合物を含む層
２１０    発光素子
２１１ａ    反射膜
２１２ａ    半透過・半反射膜
２１３ａ    光学調整層
３００    ガラス基板
３０３    発光性の有機化合物を含む層
３０４    隔壁
３１０    発光素子
３１１    反射膜
３１１ａ    反射膜
３１１ｂ    反射膜
３１１ｃ    反射膜
３１１ｄ    反射膜
３１２    半透過・半反射膜
３１３ａ    光学調整層
３１３ｂ    光学調整層
３１３ｃ    光学調整層
３１５    赤色を呈する光を透過する層
３２０    発光素子
３３０    発光素子
３４０    発光素子
３５０    発光パネル
３６０    封止基板
４０１ａ    レジストマスク
４０１ｂ    レジストマスク
４０１ｃ    レジストマスク
５０３    発光性の有機化合物を含む層
５１０    発光素子
５１１ａ    反射膜
５１１ｂ    反射膜
５１１ｃ    反射膜
５１１ｄ    反射膜
５１２    半透過・半反射膜
５１３ａ    光学調整層
５１３ｂ    光学調整層
５１３ｃ    光学調整層
５１５    赤色を呈する光を透過する層
５２０    発光素子
５３０    発光素子
５４０    発光素子
５５０    発光パネル
９０１    照明装置
９０３    卓上照明器具
９０４    照明装置
１１００    ガラス基板
１１０１    陽極
１１０２    陰極
１１０３    ＥＬ層
１１０３ａ    ＥＬ層
１１０３ｂ    ＥＬ層
１１０４    中間層
１１０４ａ    電子注入バッファー
１１０４ｂ    電子リレー層
１１０４ｃ    電荷発生領域
１１１３    ホール注入層
１１１４    ホール輸送層
１１１５    発光層
１１１６    電子輸送層
１１１７    電子注入層
１４００    発光装置
１４０１    駆動回路部（ソース側駆動回路）
１４０２    画素部
１４０３    駆動回路部（ゲート側駆動回路）
１４０４    封止基板
１４０５    シール材
１４０７    空間
１４０８    配線
１４０９    ＦＰＣ（フレキシブルプリントサーキット）
１４１０    素子基板
１４１１    スイッチング用ＴＦＴ
１４１２    電流制御用ＴＦＴ
１４１３    第１の電極
１４１４    隔壁
１４１６    発光性の有機化合物を含む層
１４１７    電極
１４１８    発光素子
１４２３    ｎチャネル型ＴＦＴ
１４２４    ｐチャネル型ＴＦＴ
１５０３ａ    ＥＬ層
１５０３ｂ    ＥＬ層
１５０４    中間層
１５０４ａ    電子注入バッファー
１５０４ｂ    電子リレー層
１５０４ｃ    電荷発生領域
１５１１    正孔注入層
１５１２    正孔輸送層
１５１３    発光層
１５１４    電子輸送層
１５１４ａ    電子輸送層
１５１４ｂ    電子輸送層
１５２２    正孔輸送層
１５２３ａ    発光層
１５２３ｂ    発光層
１５２４ａ    電子輸送層
１５２４ｂ    電子輸送層
１５２５    電子注入層
２５００    発光装置
２５０１    基板
２５０２    電極
２５０３    電極
２５０４    発光性の有機化合物を含む層
２５０５    絶縁層
２５０６    隔壁層
７１００    テレビジョン装置
７１０１    筐体
７１０３    表示部
７１０５    スタンド
７１０７    表示部
７１０９    操作キー
７１１０    リモコン操作機
７２０１    本体
７２０２    筐体
７２０３    表示部
７２０４    キーボード
７２０５    外部接続ポート
７２０６    ポインティングデバイス
７３０１    筐体
７３０２    筐体
７３０３    連結部
７３０４    表示部
７３０５    表示部
７３０６    スピーカ部
７３０７    記録媒体挿入部
７３０８    ＬＥＤランプ
７３０９    入力手段（操作キー
７３１０    接続端子
７３１１    センサ
７３１２    マイクロフォン
７４００    携帯電話機
７４０１    筐体
７４０２    表示部
７４０３    操作ボタン
７４０４    外部接続ポート
７４０５    スピーカ
７４０６    マイク
７５００    照明装置
７５０１    筐体
７５０３ａ〜７５０３ｄ    発光装置
９５０１    照明部
９５０３    支柱
９５０５    支持台
【図１】
2020024933.tif 000012
【図２】
2020024933.tif 000013
【図３】
2020024933.tif 000014
【図４】
2020024933.tif 000015
【図５】
2020024933.tif 000016
【図６】
2020024933.tif 000017
【図７】
2020024933.tif 000018
【図８】
2020024933.tif 000019
【図９】
2020024933.tif 000020
【図１０】
2020024933.tif 000021
【図１１】
2020024933.tif 000022
【図１２】
2020024933.tif 000023
【図１３】
2020024933.tif 000024
【図１４】
2020024933.tif 000025